(57)【特許請求の範囲】
【請求項１】
媒体の金種を鑑別し、該媒体が循環使用する媒体または出金には用いない非出金媒体かを判断する鑑別部と、前記鑑別部で循環使用する媒体と判断された媒体を、設定された金種別に収納する複数の収納カセットと、前記鑑別部で非出金媒体と判断された媒体を収納する汎用カセットと、を備えた現金自動取引装置において、
前記汎用カセットの収納状態を確認する確認手段と、
前記各収納カセットへ収納した媒体の収納枚数を計数する計数手段と、
前記確認手段でフル状態又はニアフル状態が確認された場合に、複数の前記収納カセットの中から、前記計数手段により計数された収納枚数が最も少ない前記収納カセットを仮汎用カセットに設定する設定手段と、
前記仮汎用カセットに、前記鑑別部で非出金媒体と判断された媒体を収納する手段と、
を備えることを特徴とする現金自動取引装置。
【請求項２】
媒体の金種を鑑別し、該媒体が循環使用する媒体または出金には用いない非出金媒体かを判断する鑑別部と、前記鑑別部で循環使用する媒体と判断された媒体を、設定された金種別に収納する複数の収納カセットと、前記鑑別部で非出金媒体と判断された媒体を収納する汎用カセットと、を備えた現金自動取引装置において、
前記汎用カセットの収納状態を確認する確認手段と、
前記確認手段でフル状態又はニアフル状態が確認された場合に、複数の前記収納カセットの中から、収納金額が最も少ない前記収納カセットを仮汎用カセットに設定する設定手段と、
前記仮汎用カセットに、前記鑑別部で非出金媒体と判断された媒体を収納する手段と、
を備えることを特徴とする現金自動取引装置。
【請求項３】
媒体の金種を鑑別し、該媒体が循環使用する媒体または出金には用いない非出金媒体かを判断する鑑別部と、前記鑑別部で循環使用する媒体と判断された媒体を、設定された金種別に収納する複数の収納カセットと、前記鑑別部で非出金媒体と判断された媒体を収納する汎用カセットと、を備えた現金自動取引装置において、
前記汎用カセットの収納状態を確認する確認手段と、
前記各収納カセットへ収納した媒体の収納枚数を計数する計数手段と、
前記確認手段でフル状態又はニアフル状態が確認された場合に、複数の前記収納カセットの中から、予め定めた所定の条件に基づいていずれかの前記収納カセットを仮汎用カセットに設定する設定手段と、
前記仮汎用カセットに、前記鑑別部で非出金媒体と判断された媒体を収納する手段と、
を備え、
前記設定手段は、
設定された金種が同一金種である前記収納カセットが存在するときは、同一金種の前記収納カセットの中から、前記計数手段により計数された収納枚数が最も少ない前記収納カセットを前記仮汎用カセットに設定することを特徴とする現金自動取引装置。
【請求項４】
媒体の金種を鑑別し、該媒体が循環使用する媒体または出金には用いない非出金媒体かを判断する鑑別部と、
前記鑑別部で循環使用する媒体と判断された媒体を、設定された金種別に収納する複数の収納カセットと、
前記鑑別部で非出金媒体と判断された媒体を収納する汎用カセットと、
を備えた現金自動取引装置において、
前記汎用カセットの収納状態を確認する確認手段と、
前記各収納カセットへ収納した媒体の収納枚数を計数する計数手段と、
前記確認手段でニアフル状態が確認された場合に、複数の前記収納カセットの中から、前記計数手段により計数された収納枚数が最も少ない前記収納カセットを仮汎用カセットに設定する設定手段と、
前記鑑別部で搬送異常を除く出金には用いない非出金媒体と鑑別された媒体を前記仮汎用カセットへ収納し、搬送異常と鑑別した媒体をニアフル状態の前記汎用カセットへ収納する手段と、
を備えることを特徴とする現金自動取引装置。
【請求項５】
請求項１から請求項４のいずれかに１項の現金自動取引装置において、
前記収納カセットに設定された金種を前記収納カセット毎に記憶する記憶手段と、
前記仮汎用カセットに設定された前記収納カセットに対し、前記記憶手段に記憶した設定金種を変更する設定金種変更手段と、
を備えることを特徴とする現金自動取引装置。
【請求項６】
請求項３の現金自動取引装置において、
前記仮汎用カセットを設定した場合に、前記仮汎用カセットに収納された収納媒体を、同一金種の他の前記収納カセットへ移し替える手段を備えることを特徴とする現金自動取引装置。
【請求項７】
請求項１から請求項６のいずれか１項の現金自動取引装置において、
前記鑑別部で取込可能と判断された正常媒体を集積する一時保留部と、
入金処理において、前記仮汎用カセットが設定されている場合は、前記一時保留部に集積された正常媒体の中で、出金には用いない非出金媒体を前記仮汎用カセットへ収納する手段とを備えることを特徴とする現金自動取引装置。
【請求項８】
請求項１から請求項７のいずれか１項の現金自動取引装置において、
出金処理において、前記仮汎用カセットが設定されている場合は、前記鑑別部で非出金媒体と判断された媒体を前記仮汎用カセットへ収納する手段と、
を備えることを特徴とする現金自動取引装置。
【請求項９】
請求項１から請求項７のいずれか１項の現金自動取引装置において、
前記鑑別部で取込可能と判断された正常媒体を集積する一時保留部と、
出金処理において、前記仮汎用カセットが設定されている場合は、前記鑑別部で非出金媒体と判断された媒体を前記一時保留部へ集積する手段と、
前記一時保留部に集積した媒体の中で、前記鑑別部で循環使用する媒体と判断された媒体を前記収納カセットへ収納し、非出金媒体と判断された媒体を前記仮汎用カセットへ収納する手段とを備えることを特徴とする現金自動取引装置。
【請求項１０】
請求項５の現金自動取引装置において、
前記設定金種変更手段は、
前記確認手段が確認した前記汎用カセットの収納状態がフル状態又はニアフル状態でなく、かつ前記仮汎用カセットが設定されていた場合に、前記仮汎用カセットに設定された前記収納カセットに対し、前記記憶手段に記憶した設定金種を元の設定金種に再変更することを特徴とする現金自動取引装置。
【請求項１１】
請求項１から請求項１０のいずれか１項の現金自動取引装置において、
前記確認手段が確認した前記汎用カセットの収納状態がフル状態又はニアフル状態でなく、かつ前記仮汎用カセットが設定されていた場合に、前記仮汎用カセットへ設定後に収納された媒体を、前記確認手段がフル状態又はニアフル状態でないことを確認した汎用カセットへ移し替える手段と、
を備えることを特徴とする現金自動取引装置。
【請求項１２】
請求項１から請求項１１のいずれか１項の現金自動取引装置において、
前記鑑別部で取込可能と判断された正常媒体を集積する一時保留部と、
前記確認手段が確認した前記汎用カセットの収納状態がフル状態又はニアフル状態でなく、かつ前記仮汎用カセットが設定されていた場合に、前記仮汎用カセットへ設定後に収納された媒体の中で、
前記鑑別部で非出金媒体と判断された媒体を前記フル状態又はニアフル状態でないことを確認した前記汎用カセットへ収納し、循環使用する媒体と判断された媒体を前記一時保留部へ集積する手段と、
前記一時保留部へ集積した媒体の中で、前記鑑別部で循環使用する媒体と判断された媒体を前記収納カセットへ収納し、非出金媒体と判断された媒体をフル状態又はニアフル状態でないことを確認した前記汎用カセットへ収納する手段とを備えることを特徴とする現金自動取引装置。
【請求項１３】
請求項１から請求項１１のいずれか１項の現金自動取引装置において、
前記鑑別部で取込可能と判断された正常媒体を集積する一時保留部と、
前記確認手段が確認した前記汎用カセットの収納状態がフル状態又はニアフル状態でなく、かつ前記仮汎用カセットが設定されていた場合に、前記仮汎用カセットへ設定後に収納された媒体の中で、前記鑑別部で搬送異常と鑑別された媒体をフル状態またはニアフル状態でないことを確認した汎用カセットへ収納し、搬送異常以外と鑑別された媒体を前記一時保留部へ集積する手段と、
前記一時保留部に集積した媒体の中で、前記鑑別部で循環使用する媒体と判断された媒体を前記収納カセットへ収納し、非出金媒体と鑑別された媒体をフル状態またはニアフル状態でないことを確認した前記汎用カセットへ収納する手段と、
を備えることを特徴とする現金自動取引装置。
【請求項１４】
請求項４の現金自動取引装置において、
出金処理において、前記仮汎用カセットが設定されている場合は、前記鑑別部で搬送異常と鑑別された媒体をニアフル状態の前記汎用カセットへ収納する手段、
を備えることを特徴とする現金自動取引装置。
【請求項１５】
請求項１から請求項１４のいずれか１項の現金自動取引装置において、
前記仮汎用カセットを設定したときに、前記仮汎用カセットを設定した旨の通知を送信する手段を備えることを特徴とする現金自動取引装置。
【発明の詳細な説明】
【技術分野】
【０００１】
本発明は、金融機関に設置され、顧客等との取引を自動で行う現金自動預払機等の現金自動取引装置に関する。
【背景技術】
【０００２】
従来の現金自動預払機は、入金取引時に入出金部に投入された紙幣を鑑別部で鑑別し、鑑別部で異常と鑑別された紙幣は入出金部に搬送して顧客に返却し、正常と鑑別された紙幣は一時保留部へ集積し、入金金額の確定後に各収納カセットに金種別に収納している。
【０００３】
また、出金取引においては、収納カセットから繰出した紙幣を鑑別部で鑑別し、正常と鑑別された紙幣は入出金部に搬送して集積し、顧客が入力した出金金額に相当する紙幣を入出金部へ集積した後にシャッタを開放して顧客に支払い、鑑別部で異常と鑑別された紙幣はリジェクトカセットへ搬送して収納している（例えば、特許文献１参照。）。
【先行技術文献】
【特許文献】
【０００４】
【特許文献１】特開平１１−８６０９２号公報（段落００２９−００３０、第１図）
【発明の概要】
【発明が解決しようとする課題】
【０００５】
しかしながら、上述した従来の技術においては、リジェクトカセットがフル状態又はニアフル状態になった場合は、リジェクトカセットの交換またはリジェクトカセットからの紙幣の抜取りが行われるまで、出金や入金等の紙幣の入出金を伴う紙幣取扱取引を中止しているため、現金自動預払機の稼動効率を低下させてしまうという問題がある。
【０００６】
本発明は、上記の問題点を解決するためになされたもので、リジェクトカセットがフル状態又はニアフル状態になったとしても、紙幣の入出金を伴う紙幣取扱取引を自動的に継続する手段を提供することを目的とする。
【課題を解決するための手段】
【０００７】
本発明は、上記課題を解決するために、媒体の金種を鑑別し、該媒体が循環使用する媒体または出金には用いない非出金媒体かを判断する鑑別部と、前記鑑別部で循環使用する媒体と判断された媒体を、設定された金種別に収納する複数の収納カセットと、前記鑑別部で非出金媒体と判断された媒体を収納する汎用カセットと、を備えた現金自動取引装置において、前記汎用カセットの収納状態を確認する確認手段と、前記各収納カセットへ収納した媒体の収納枚数を計数する計数手段と、前記確認手段でフル状態又はニアフル状態が確認された場合に、複数の前記収納カセットの中から、前記計数手段により計数された収納枚数が最も少ない前記収納カセットを仮汎用カセットに設定する設定手段と、前記仮汎用カセットに、前記鑑別部で非出金媒体と判断された媒体を収納する手段と、を備えることを特徴とする。
【発明の効果】
【０００８】
これにより、本発明は、入金取引や出金取引等の媒体取扱取引において、汎用カセットがフル状態又はニアフル状態になったとしても、媒体取扱取引を中止することなく、媒体の入出金を伴う媒体取扱取引を自動的に継続して現金自動取引装置による取引を継続させることができ、現金自動取引装置の稼動効率を向上させることができるという効果が得られる。
【図面の簡単な説明】
【０００９】
【図１】実施例１の現金自動預払機を示すブロック図
【図２】実施例１の紙幣入出金部を示すブロック図
【図３】実施例１の紙幣入出金部の構成を示す説明図
【図４】実施例１の紙幣入出金部の通常の取込動作の搬送経路を示す説明図
【図５】実施例１の紙幣入出金部の通常の収納動作の搬送経路を示す説明図
【図６】実施例１の紙幣入出金部の通常の出金動作の搬送経路を示す説明図
【図７】実施例１の現金自動預払機の取引処理および非出金紙幣等の搬送先変更処理を示すフローチャート
【図８】実施例１の現金自動預払機の入金取引処理を示すフローチャート
【図９】実施例１の現金自動預払機の出金取引処理を示すフローチャート
【図１０】実施例１の紙幣入出金部の収納動作の搬送経路を示す説明図
【図１１】実施例１の紙幣入出金部の出金動作の搬送経路を示す説明図
【図１２】実施例１の紙幣入出金部の移動動作の搬送経路を示す説明図
【図１３】実施例２の現金自動預払機の取引処理および非出金紙幣等の搬送先変更処理を示すフローチャート
【図１４】実施例３の現金自動預払機の取引処理および非出金紙幣等の搬送先変更処理を示すフローチャート
【図１５】実施例４の現金自動預払機の取引処理および非出金紙幣等の搬送先変更処理を示すフローチャート
【図１６】実施例４の現金自動預払機の出金取引処理を示すフローチャート
【図１７】実施例４の紙幣入出金部の移動動作の搬送経路を示す説明図
【図１８】実施例５の現金自動預払機の取引処理および非出金紙幣等の搬送先変更処理を示すフローチャート
【図１９】実施例５の紙幣入出金部の収納紙幣の移し替え動作の搬送経路を示す説明図
【図２０】実施例５の紙幣入出金部の収納紙幣の移し替え動作の搬送経路を示す説明図
【図２１】実施例６の現金自動預払機の取引処理、非出金紙幣等の搬送先変更処理および設定後収納紙幣の移し替え処理を示すフローチャート
【図２２】実施例６の紙幣入出金部の設定後収納紙幣の移し替え動作の搬送経路を示す説明図
【図２３】実施例７の現金自動預払機の取引処理、非出金紙幣等の搬送先変更処理および設定後収納紙幣の分別収納処理を示すフローチャート
【図２４】実施例７の紙幣入出金部の設定後収納紙幣の分別収納動作の搬送経路を示す説明図
【図２５】実施例７の紙幣入出金部の設定後収納紙幣の分別収納動作の搬送経路を示す説明図
【図２６】実施例８の現金自動預払機の取引処理、非出金紙幣等の搬送先変更処理および設定後収納紙幣の分別収納処理を示すフローチャート
【図２７】実施例８の現金自動預払機の入金取引処理を示すフローチャート
【図２８】実施例８の現金自動預払機の出金取引処理を示すフローチャート
【図２９】実施例８の紙幣入出金部の収納動作の搬送経路を示す説明図
【図３０】実施例８の紙幣入出金部の出金動作の搬送経路を示す説明図
【発明を実施するための形態】
【００１０】
以下に、図面を参照して本発明による現金自動取引装置の実施例について説明する。
【実施例１】
【００１１】
図１において、１は現金自動取引装置としての現金自動預払機であり、銀行や日本郵政株式会社のゆうちょ銀行等の金融機関の支店や郵便局、コンビニエンスストア等の店舗に設置され、顧客との間での取引処理を自動で行う。
【００１２】
２は金融機関のセンタに設置された上位装置としてのホストコンピュータであり、店舗に設置されている現金自動預払機１と専用回線や電話回線等の通信回線３を介して接続しており、口座開設者である顧客を個別に識別するための顧客ＩＤに対応させて顧客の口座の口座番号等の口座情報やその暗証番号、口座残高等の顧客情報を保有して顧客の口座を管理する。
【００１３】
４は現金自動預払機１の主制御部であり、通信回線３を介してホストコンピュータ２と接続しており、現金自動預払機１内の各部を制御して取引処理や紙幣処理等を実行する機能を有する他、データ通信等を制御する機能等を有している。
【００１４】
５は記憶部であり、主制御部４が実行するプログラムやそれに用いる各種のデータ、主制御部４による処理結果等が格納される。
【００１５】
６は操作表示部であり、現金自動預払機１の前面に設けられ、ＬＣＤ等の表示画面とタッチパネル等の入力手段との組合せで構成されており、表示画面に取引選択画面や各種の入力画面、顧客の処置を促す画面等を表示する他、入力手段により顧客からの入力を受付ける機能等を有している。
【００１６】
７はカード取扱部であり、挿入された顧客のキャッシュカードやクレジットカード等の取引カードの磁気ストライプやＩＣチップ等に記録されている顧客ＩＤや口座情報等のカード情報を読み書きする機能を有すると共に明細票等に取引内容等を印刷する機能等を有している。
【００１７】
８は通帳取扱部であり、顧客の通帳の磁気ストライプやＩＣチップ等に記録されている通帳情報を読み書きする機能を有すると共に取引内容等を顧客の通帳に記帳する機能を有している。
【００１８】
９は媒体入出金部としての硬貨入出金部であり、入金取引時等に顧客が投入した媒体としての硬貨を受入れ、これを鑑別および計数して収納カセットへ収納し、出金取引時等に収納カセットから顧客に支払う硬貨を繰出し、これを計数して顧客に払出す機能を有している。
【００１９】
１０は媒体入出金部としての紙幣入出金部であり、入金取引時等に顧客が投入した媒体としての紙幣を受入れ、これを鑑別および計数して収納カセットへ収納し、出金取引時等に収納カセットから顧客に支払う紙幣を繰出し、これを計数して顧客に払出す機能を有しており、以下に示す構成を有している。
【００２０】
図２、図３において、１１は紙幣の入出金部であり、紙幣入出金部１０の前面に設けられ、紙幣の投入時および紙幣の払出時に開閉する図示しないシャッタや、顧客が投入した紙幣を１枚毎に分離して繰出す分離繰出機構、顧客に返却する紙幣や顧客に支払う紙幣を集積する集積機構等を備えており、顧客が投入した紙幣を受入れると共に顧客に支払う紙幣を払出す機能を有している。
【００２１】
１２は鑑別部であり、搬送された紙幣に対する各種の鑑別、つまり紙幣の真偽や正損、金種等を識別する機能、および重送、連鎖、斜行等の搬送異常を検出する機能、これらの鑑別結果を主制御部４へ出力する機能等を有している。
【００２２】
１３は一時保留部であり、入金処理において入出金部１１に投入された紙幣で、鑑別部１２により真券と鑑別され、取込処理可能と判定された正常紙幣を集積して一時保留する集積部であって、入出金部１１側の上部に搬送された紙幣を集積する集積機構を備えた搬入口、その側の下部に紙幣を１枚毎に分離して繰出す分離繰出機構を備えた繰出口が設けられており、一時保留部１３内に存在する紙幣を検出する図示しない残留検出センサ等を備えている。
【００２３】
１４は収納カセットであり、設定された設定金種の紙幣を金種別に収納するカセットであって、その上部の一端には紙幣を１枚毎に分離して繰出すと共に搬送された紙幣を１枚ずつ送り込んで集積する分離集積機構、分離集積機構から放出された紙幣を集積する昇降機構が設けられたステージ等を備えており、紙幣入出金部１０に着脱可能に装着されている。
【００２４】
本実施例の設定金種としては、確定された入金紙幣を出金に再使用する循環使用に用いる紙幣の金種（循環金種という。）が設定され、紙幣入出金部１０に設けられた複数の収納カセット１４ａ〜１４ｃには、図４に示すように、収納カセット１４ａ、１４ｂは循環金種の紙幣である１万円紙幣（万券という。）を、収納カセット１４ｃは循環金種の紙幣である千円紙幣（千券という。）を収納するように設定されている。
【００２５】
１５は汎用カセットとしてのリジェクトカセットであり、収納カセット１４に収納されない紙幣を金種に関らずに収納するカセットであって、搬送された紙幣を集積する集積機構が設けられ、紙幣入出金部１０に着脱可能に装着されており、出金には用いない紙幣（非出金紙幣という。）等が収納される。
【００２６】
本実施例の非出金紙幣としては、入金は受付けるが出金には用いない紙幣として、循環使用に用いない紙幣に設定された非循環金種の紙幣（本実施例では、５千円紙幣（５千券という。）と２千円紙幣（２千券という。）の２金種）が該当し、出金に用いることができない紙幣として、入金処理時の収納処理において過度の汚損等により金種不明と鑑別された金種不明紙幣、出金処理時に収納カセット１４から繰出された紙幣の中で、過度の汚損等により金種不明と鑑別された金種不明紙幣、入金処理時の収納処理において重送等により搬送異常と鑑別された搬送異常紙幣、出金処理時に収納カセット１４から繰出された紙幣の中で、重送等により搬送異常と鑑別された搬送異常紙幣等のリジェクト紙幣や、出金処理時に繰出元の収納カセット１４に設定された循環金種と異なる金種と鑑別された異金種紙幣が該当する。
【００２７】
なお、収納カセット１４が、設定された循環金種の紙幣によってフル状態になった場合において、その後に入金された循環金種の紙幣は、収納カセット１４がフル状態であるために収納することができない過剰となった紙幣（過剰紙幣という。）として、リジェクトカセット１５へ収納される。
【００２８】
１６は収納状態検出センサであり、収納カセット１４ａ〜１４ｃおよびリジェクトカセット１５（これらを総称する場合は、カセット１４、１５という。）にそれぞれ設けられた光学式等のセンサであって、各カセット１４、１５の紙幣の収納状態がフル状態（１回の取引で許容される最大枚数（例えば１００枚）の紙幣を収納することができなくなった状態をいう。）になったことを検出する機能を有しており、収納カセット１４ａには収納状態検出センサ１６ａが、収納カセット１４ｂには収納状態検出センサ１６ｂが、収納カセット１４ｃには収納状態検出センサ１６ｃが、リジェクトカセット１５には収納状態検出センサ１６ｄが、それぞれ設けられている。
【００２９】
１７は搬送路であり、図３に示すように、上記した各部の間を接続して紙幣を搬送するために複数（１７ａ〜１７ｎ）設けられ、紙幣を搬送するためのベルト対および／もしくはローラ対等で構成され、それらの分岐部にはブレード等により搬送方向を切替える図示しない切替機構が設けられている。
【００３０】
上記の現金自動預払機１の記憶部５には、顧客が選択した取引の入力を受付け、これを基にホストコンピュータ２と交信して顧客との取引処理を自動で行う機能等を有する通常の取引処理プログラム、入金取引や出金取引等の紙幣の入出金を伴う取引（紙幣取扱取引という。）において紙幣入出金部１０を制御して紙幣の入金処理や出金処理等の紙幣処理を実行する機能を有する紙幣処理プログラム、およびリジェクトカセット１５がフル状態になったときに、収納枚数が最も少ない最少収納枚数の収納カセット１４を、リジェクトカセット１５に収納すべき非出金紙幣等を収納する仮のリジェクトカセット（仮汎用カセットとしての仮リジェクトカセット１８という。）に設定して非出金紙幣等の搬送先を変更する非出金紙幣等の搬送先変更処理を実行する機能を有するアプリケーションプログラム等からなる業務処理実行プログラムが予め格納されており、主制御部４が実行する業務処理実行プログラムのステップにより本実施例の現金自動預払機１の各機能手段が形成される。
【００３１】
また、記憶部５には、初期画面としての取引選択画面を表示した状態で取引選択が行われなかった場合に、リジェクトカセット１５の収納状態を確認するための所定の待機時間である収納状態確認時間が予め設定されて格納されている。
【００３２】
更に、記憶部５には、通常運用時に収納すべき金種として予め設定された設定金種を収納カセット１４別に記憶する設定金種記憶エリア５ａ、仮リジェクトカセット１８が設定されたときに、仮リジェクトカセット１８に設定された収納カセット１４の記録エリアに元の設定金種を書込んで、仮リジェクトカセット１８が設定された旨を収納カセット１４別に記録するための設定金種変更記録エリア５ｂ、各収納カセット１４へ収納されている紙幣の収納枚数を収納カセット１４別に計数すると共にリジェクトカセット１５に紙幣を収納した回数を計数するための収納枚数カウントエリア５ｃ、一時保留部１３に集積した紙幣を金種別に計数するための取込紙幣カウントエリア５ｄが予め確保されている。
【００３３】
本実施例の設定金種記憶エリア５ａの設定金種は、収納カセット１４ａ、１４ｂは万券に、収納カセット１４ｃは千券に設定され（図４参照）、設定金種変更記録エリア５ｂの各収納カセット１４の記録エリアの初期値は「０」に設定される。
【００３４】
なお、リジェクトカセット１５へは、収納カセット１４に収納されない紙幣、つまり上記した非循環金種の紙幣、リジェクト紙幣（金種不明紙幣、搬送異常紙幣）、異金種紙幣、過剰紙幣が収納される。
【００３５】
以下に、図４ないし図６を用いて、本実施例の紙幣入出金部１０による通常の紙幣処理における入金処理の取込動作と収納動作、および出金処理の出金動作について説明する。
【００３６】
入金処理における取込動作は、顧客が紙幣を入出金部１１に投入すると、主制御部４は、図４に示すように、投入された紙幣を入出金部１１の分離繰出機構により搬送路１７ａへ繰出し、搬送路１７ｂを経由して鑑別部１２へ搬送し、その鑑別結果を基に、真券と鑑別され取込可能と判定された正常紙幣は搬送路１７ｃ、１７ｄを経由して一時保留部１３へ搬送して集積し（図４に示す太い実線参照）、真券以外の異常紙幣、つまり外国紙幣や過度の汚損、搬送異常等により取込不可能と鑑別された紙幣は搬送路１７ｃ、１７ｆを経由して入出金部１１に搬送して集積し顧客に返却する（図４に示す太い破線参照）。
【００３７】
入金金額の確定後の入金紙幣の収納動作においては、主制御部４は、図５に示すように、一時保留部１３に集積した入金紙幣を、その分離繰出機構により搬送路１７ｅへ繰出し、搬送路１７ｃを経由して鑑別部１２へ搬送し、その鑑別結果を基に、循環金種である万券と鑑別された紙幣は搬送路１７ｂ、１７ｇ、１７ｈを経由して、搬送路１７ｉまたは１７ｊにより収納カセット１４ａまたは１４ｂへ搬送して収納し、循環金種である千券と鑑別された紙幣は搬送路１７ｂ、１７ｇ、１７ｈを経由して、搬送路１７ｋにより収納カセット１４ｃへ搬送して収納し（図５に示す太い実線参照）、非出金紙幣である非循環金種の５千券、２千券および収納時のリジェクト紙幣、並びに過剰紙幣は、搬送路１７ｂ、１７ｇ、１７ｈを経由して、搬送路１７ｍによりリジェクトカセット１５へ搬送して収納する（図５に示す太い破線参照）。
【００３８】
出金処理における出金動作は、出金金額が入力されると、主制御部４は、図６に示すように、出金金額に相当する紙幣を収納カセット１４ａ、１４ｂまたは１４ｃから分離集積機構により搬送路１７ｉ、１７ｊまたは１７ｋに繰出し、搬送路１７ｈ、１７ｇ、１７ｂを経由して鑑別部１２へ搬送し、その鑑別結果を基に、金種が鑑別された出金紙幣は搬送路１７ｃ、１７ｆを経由して入出金部１１に搬送して集積し（図６に示す太い実線参照）、出金金額に相当する出金紙幣を集積した後に顧客に払出し、非出金紙幣である出金時のリジェクト紙幣、および異金種紙幣は、搬送路１７ｃ、１７ｎ、１７ｍを経由してリジェクトカセット１５へ搬送して収納する（図６に示す太い破線参照）。
【００３９】
以下に、図７ないし図９に示すフローチャートを用い、図７にＳ１で、図８にＳＡ１で、図９にＳＢ１で示すステップに従って、本実施例の紙幣取扱取引の取引処理、およびリジェクトカセット１５がフル状態になった場合の非出金紙幣等の搬送先変更処理について説明する。
【００４０】
金融機関の店舗の係員が、始業時等に現金自動預払機１へ電源を投入すると、現金自動預払機１の記憶部５に格納されている業務処理実行プログラムが自動的に起動される。
【００４１】
業務処理実行プログラムが起動すると、現金自動預払機１の主制御部４は、記憶部５の設定金種変更記録エリア５ｂの各収納カセット１４の記録エリアを「０」にクリアして、設定金種変更記録エリア５ｂを初期化する。
【００４２】
Ｓ１−１、現金自動預払機１の主制御部４は、その操作表示部６の表示画面に取引選択画面を表示し、その時計機能により取引選択画面を表示したとき、または収納状態確認時間の経過後にリジェクトカセット１５の収納状態を確認（ステップＳ１−８参照）した後に本ステップへ戻ったときからの経過時間の計測を開始すると共に、ステップＳ１−２〜Ｓ１−４による待機を開始する。
【００４３】
取引選択画面には、出金取引を選択するための「お引き出し」ボタン、入金取引を選択するための「お預け入れ」ボタン、振込取引を選択するための「お振り込み」ボタン、口座残高を照会する残高照会取引を選択するための「残高照会」ボタン、通帳に未記入の取引データを記帳する通帳記帳取引を選択するための「通帳記帳」ボタン等の各種の取引選択ボタンが表示される。
【００４４】
Ｓ１−２、主制御部４は、取引選択画面を表示した状態で、その時計機能により現在時刻を認識しながら稼動終了時刻の到来を待って待機しており、現在時刻が稼動終了時刻以前の場合はステップＳ１−３へ移行する。現在時刻が稼動終了時刻になった場合は、業務処理実行プログラムを終了させて現金自動預払機１の運用を停止する。
【００４５】
Ｓ１−３、主制御部４は、取引選択画面を表示した状態で、上記ステップＳ１−１で開始した経過時間を計測しながら、記憶部５に格納されている収納状態確認時間の経過を待って待機しており、取引選択ボタンによる取引選択が行われずに収納状態確認時間の経過を認識した場合はステップＳ１−８へ移行する。計測した経過時間が収納状態確認時間未満の場合はステップＳ１−４へ移行する。
【００４６】
Ｓ１−４、主制御部４は、取引選択画面を表示した状態で、顧客による取引選択ボタンの押下を待って待機しており、操作表示部６の入力手段によって取引選択ボタンが押下されたことを認識した場合は、ステップＳ１−５へ移行して取引処理を開始する。取引選択ボタンの押下を認識しない場合は、ステップＳ１−２へ戻り、ステップＳ１−２〜Ｓ１−４による待機を継続する。
【００４７】
Ｓ１−５、取引選択ボタンの押下を認識した主制御部４は、押下された取引選択ボタンが入金取引を選択したものである場合は、接続子Ａ１を介して図８のステップＳＡ１−１へ移行する。他の取引選択ボタンが押下された場合はステップＳ１−６へ移行する。
【００４８】
Ｓ１−６、取引選択ボタンの押下を認識した主制御部４は、押下された取引選択ボタンが出金取引を選択したものである場合は、接続子Ｂ１を介して図９のステップＳＢ１−１へ移行する。他の取引選択ボタンが押下された場合はステップＳ１−７へ移行する。
【００４９】
Ｓ１−７、入金取引および出金取引以外の取引が選択されたことを認識した主制御部４は、認識した取引の取引処理を通常通りに実行し、その取引処理の終了後にステップＳ１−８へ移行する。
【００５０】
なお、紙幣取扱取引である、振込取引における現金振込が選択された場合の作動については後述する。
【００５１】
Ｓ１−８、取引処理の実行を終えた（後述する入金取引または出金取引の取引処理の終了後に接続子Ｅを介して移行した場合を含む。）または上記ステップＳ１−３において収納状態確認時間の経過を認識した主制御部４は、各収納状態検出センサ１６ａ〜１６ｄの出力信号によって、各カセット１４、１５の収納状態を確認する。
【００５２】
Ｓ１−９、各カセット１４、１５の収納状態を確認した主制御部４は、リジェクトカセット１５がフル状態でない場合、つまりリジェクトカセット１５に空きスペースがあり収納余裕が存在する場合はステップＳ１−１７へ移行する。リジェクトカセット１５がフル状態である場合は、非出金紙幣等の搬送先変更処理が必要と判定してステップＳ１−１０へ移行する。
【００５３】
Ｓ１−１０、非出金紙幣等の搬送先変更処理が必要と判定した主制御部４は、記憶部５の設定金種変更記録エリア５ｂから各収納カセット１４の記録内容を読出し、それぞれの記録内容が初期値の場合は、仮リジェクトカセット１８（ステップＳ１−１４参照）が設定されていないことを判定してステップＳ１−１１へ移行する。
【００５４】
各記録内容のいずれかに当該収納カセット１４の設定金種が記録されている場合（ステップＳ１−１５参照）は、仮リジェクトカセット１８が既に設定されていることを判定し、ステップＳ１−１へ戻って操作表示部６の表示画面に、紙幣取扱取引の運用形態を現状のままとした取引選択画面を表示して待機する。
【００５５】
Ｓ１−１１、仮リジェクトカセット１８が設定されていないことを判定した主制御部４は、収納状態を確認した収納カセット１４の全てがフル状態の場合はステップＳ１−１２へ移行する。いずれかの収納カセット１４に収納余裕が存在する場合はステップＳ１−１４へ移行する。
【００５６】
Ｓ１−１２、リジェクトカセット１５および全ての収納カセット１４がフル状態であることを判定した主制御部４は、入金取引や出金取引等の紙幣取扱取引を中止に設定する。
【００５７】
Ｓ１−１３、紙幣取扱取引を中止に設定した主制御部４は、各カセット１４、１５がフル状態である旨を記した通知を図示しない店舗の管理端末へ送信して管理端末の担当者または保守担当者等の係員に通知し、ステップＳ１−１へ戻って操作表示部６の表示画面に、紙幣取扱取引が中止されている旨の文言、および入金取引や出金取引等の紙幣取扱取引の選択ボタンを非表示とした運用形態を変更した取引選択画面を表示して待機する。
【００５８】
一方、通知を受けた係員は、フル状態のリジェクトカセット１５を空のリジェクトカセット１５に交換すると共にフル状態の各収納カセット１４を設定金種の紙幣を適正な枚数装填した収納カセット１４に交換して、紙幣取扱取引の通常運用を可能な状態にする。
【００５９】
Ｓ１−１４、リジェクトカセット１５がフル状態であるが、収納カセット１４に収納余裕が存在することを判定した主制御部４は、記憶部５の収納枚数カウントエリア５ｃの収納カセット１４別の収納枚数を読出し、全収納カセット１４の中で、収納枚数が最も少ない最少収納枚数の収納カセット１４（本実施例では、循環金種の千券に設定されている収納カセット１４ｃとする。）を仮リジェクトカセット１８ｃに設定し、仮リジェクトカセット１８ｃからの紙幣の繰出を停止する。このため、以後の作動においては、仮リジェクトカセット１８ｃの設定が解除されるまで、千券の出金が停止されることになる。
【００６０】
Ｓ１−１５、仮リジェクトカセット１８ｃを設定した主制御部４は、記憶部５の設定金種変更記録エリア５ｂの収納カセット１４ｃの記録エリアに当該収納カセット１４ｃの現在の設定金種を記録して、仮リジェクトカセット１８ｃが設定された旨を記録し、収納カセット１４ｃを他の収納カセット１４（本実施例では、収納カセット１４ａ、１４ｂ）に収納されない紙幣を収納する仮リジェクトカセット１８ｃとして機能させる。
【００６１】
Ｓ１−１６、仮リジェクトカセット１８ｃが設定された旨を記録した主制御部４は、リジェクトカセット１５がフル状態である旨および収納カセット１４ｃを仮リジェクトカセット１８ｃとして設定した旨を記した通知を図示しない店舗の管理端末へ送信して係員に通知し、ステップＳ１−１へ戻って操作表示部６の表示画面に、千券による出金が中止されている旨の文言を表示した運用形態を変更した取引選択画面を表示して待機する。
【００６２】
なお、上記ステップＳ１−１４において、最少収納枚数の収納カセット１４が、同一金種である万券に設定されている収納カセット１４ａ、１４ｂのいずれか一方、例えば収納カセット１４ｂを仮リジェクトカセット１８ｂに設定した場合は、仮リジェクトカセット１８ｂからの繰出は停止されるが、収納カセット１４ａからの繰出は停止されないので、万券および千券の出金が可能になり、運用形態は変更されない。
【００６３】
一方、通知を受けた係員は、顧客が当該現金自動預払機１を利用していないとき等に、フル状態のリジェクトカセット１５を空のリジェクトカセット１５に交換すると共に仮リジェクトカセット１８ｃとして設定された収納カセット１４ｃから設定後に収納された紙幣を抜取って、紙幣取扱取引の通常運用を可能な状態にする。
【００６４】
この場合に、仮リジェクトカセット１８ｃを設定金種の紙幣（千券）を適正な枚数装填した収納カセット１４ｃに交換するようにしてもよい。
【００６５】
Ｓ１−１７、上記ステップＳ１−９において、リジェクトカセット１５に収納余裕が存在することを判定した主制御部４は、通常運用による紙幣取扱取引を可能に設定する。
【００６６】
Ｓ１−１８、通常運用による紙幣取扱取引を可能に設定した主制御部４は、上記ステップＳ１−１０と同様にして、仮リジェクトカセット１８ｃが設定されていないことを判定した場合、つまり通常通りの運用をしている場合は、ステップＳ１−１へ戻って操作表示部６の表示画面に、通常の取引選択画面を表示して待機する。仮リジェクトカセット１８ｃが設定されていたことを判定した場合は、ステップＳ１−１９へ移行する。
【００６７】
Ｓ１−１９、仮リジェクトカセット１８ｃが設定されていたことを判定した主制御部４は、記憶部５の設定金種変更記録エリア５ｂの各収納カセット１４の記録エリアを「０」にクリアし、仮リジェクトカセット１８ｃの設定を解除して収納カセット１４ｃの設定金種を元の設定金種に再設定し、ステップＳ１−１へ戻って操作表示部６の表示画面に、通常の取引選択画面を表示して待機する。
【００６８】
これにより、係員によるリジェクトカセット１５の交換等によって、紙幣取扱取引の通常運用が可能な状態にされた場合に、紙幣取扱取引の運用を自動的に通常通りに戻すことが可能になる。
【００６９】
このようにして、本実施例の非出金紙幣等の搬送先変更処理が実行される。
【００７０】
以下に、図８に示すフローチャートを用い、ＳＡ１で示すステップに従って、本実施例の現金自動預払機１による入金取引処理について説明する。
【００７１】
ＳＡ１−１、上記ステップＳ１−５において、入金取引の選択を認識し、接続子Ａ１を介して移行した主制御部４は、操作表示部６の表示画面に取引カードの挿入を促す旨の文言等を表示した取引カード挿入画面を表示し、顧客はこれに従って取引カードをカード取扱部７に挿入する。
【００７２】
取引カードの挿入を認識した主制御部４は、カード取扱部７によって取引カードに記録されている顧客ＩＤ、顧客の口座番号等のカード情報を読取り、読取ったカード情報を記憶部５に一時保存する。
【００７３】
ＳＡ１−２、カード情報を読取った主制御部４は、操作表示部６の表示画面に現金の投入を促す旨の文言を表示した現金投入画面を表示し、紙幣入出金部１０の入出金部１１のシャッタ、および硬貨入出金部９の図示しない入出金部のシャッタをそれぞれ開放し、顧客は、解放された入出金部１１に紙幣を投入する。
【００７４】
なお、以下の説明においては、顧客は紙幣のみを入出金部１１に投入した場合について説明する。
【００７５】
ＳＡ１−３、主制御部４は、入出金部１１に設けられた図示しない投入検知センサが、投入された紙幣を検知した後に、その時計機能により所定の時間の経過を認識したときは、紙幣の投入を判定して入出金部１１のシャッタを閉鎖し、紙幣入出金部１０による入金処理における投入紙幣の取込処理を実行する。
【００７６】
すなわち、主制御部４は、図４を用いて説明した取込動作と同様にして、入出金部１１に投入された紙幣を鑑別部１２で鑑別し、その鑑別結果を基に、真券と鑑別された正常紙幣は、記憶部５の取込紙幣カウントエリア５ｄでその金種別の枚数を計数しながら一時保留部１３へ搬送して集積し、真券以外の異常紙幣は入出金部１１に搬送して顧客に返却し、入出金部１１に投入された全ての紙幣の取込処理を終えたときにステップＳＡ１−４へ移行する。
【００７７】
ＳＡ１−４、投入紙幣の取込処理を終えた主制御部４は、取込紙幣カウントエリア５ｄで計数した取込紙幣の金種別の枚数を基に、一時保留部１３に集積した取込紙幣の合計金額を算出し、操作表示部６の表示画面に、算出した合計金額等および入金金額の確認を指示するため確認ボタン等を表示した入金金額確認画面を表示し、顧客は表示された入金金額を確認して確認ボタンを押下する。
【００７８】
ＳＡ１−５、確認ボタンを押下により、入金金額が確定されたことを判定した主制御部４は、入金取引の交信処理を実行する。
【００７９】
すなわち、主制御部４は、記憶部５に一時保存した取引カードのカード情報に確定された入金金額を添付した入金取引電文を作成し、これを通信回線３を介してホストコンピュータ２へ送信し、入金取引電文を受信したホストコンピュータ２は、添付されたカード情報を基に顧客の顧客情報を特定し、特定した顧客の口座に入金金額を入金して口座残高を更新すると共に口座の更新が終了した旨を電文にして取引終了電文を作成する。
【００８０】
そして、ホストコンピュータ２は取引終了電文を送信元の現金自動預払機１へ通信回線３を介して送信し、これを受信した主制御部４は、入金取引の交信処理を終了させてステップＳＡ１−６へ移行する。
【００８１】
ＳＡ１−６、入金取引の交信処理を終えた主制御部４は、一時保留部１３に集積されている確定された入金紙幣の収納処理を実行するために、一時保留部１３に集積した入金紙幣を、その分離繰出機構により搬送路１７ｅへ繰出し、搬送路１７ｃを経由して鑑別部１２へ搬送し、鑑別部１２によって搬送した入金紙幣の金種等を鑑別する。
【００８２】
ＳＡ１−７、鑑別された入金紙幣の金種等を鑑別した主制御部４は、鑑別された紙幣が循環金種の紙幣（万券または千券）の場合はステップＳＡ１−８へ移行する。鑑別された紙幣が循環金種の紙幣でない場合、つまり非出金紙幣である５千券、２千券と鑑別された非循環金種の入金紙幣、またはリジェクト紙幣（金種不明紙幣、搬送異常紙幣）の場合はステップＳＡ１−１４へ移行する。
【００８３】
ＳＡ１−８、鑑別された入金紙幣が循環金種の紙幣であることを判定した主制御部４は、収納状態検出センサ１６ａ〜１６ｃからの出力信号によって、各収納カセット１４の収納状態を確認する。
【００８４】
ＳＡ１−９、各収納カセット１４の収納状態を確認した主制御部４は、記憶部５の設定金種記憶エリア５ａから各収納カセット１４の設定金種を、収納枚数カウントエリア５ｃから各収納カセット１４別の収納枚数を読出してステップＳＡ１−１０へ移行する。
【００８５】
ＳＡ１−１０、各収納カセット１４別の収納枚数およびそれらの設定金種を読出した主制御部４は、読出した各収納カセット１４の設定金種を参照して、鑑別された循環金種に該当する設定金種が設定された収納カセット１４が複数存在する場合は（本実施例では、鑑別された循環金種が万券である場合の収納カセット１４ａ、１４ｂが該当する。）、ステップＳＡ１−１１へ移行する。
【００８６】
鑑別された循環金種に該当する設定金種が設定された収納カセット１４が一つの場合はステップＳＡ１−１２へ移行する。
【００８７】
ＳＡ１−１１、鑑別された循環金種に設定された収納カセット１４が複数存在することを判定した主制御部４は、設定金種が同一の収納カセット１４（本実施例では、収納カセット１４ａ、１４ｂ）に収納されている収納枚数を比較し、収納枚数が少ない収納カセット１４（本実施例では、収納カセット１４ａとする。）を搬送先に決定してステップＳＡ１−１３へ移行する。
【００８８】
ＳＡ１−１２、鑑別された循環金種に該当する収納カセット１４が一つであることを判定した主制御部４は、鑑別された循環金種に該当する収納カセット１４（本実施例では、鑑別された循環金種が千券である場合における収納カセット１４ｃ）を、鑑別された循環金種の紙幣の搬送先に決定してステップＳＡ１−１３へ移行する。
【００８９】
ＳＡ１−１３、循環金種の紙幣の搬送先を決定した主制御部４は、搬送先に決定した収納カセット１４（仮リジェクトカセット１８ｃを含む。）の収納状態を確認し、当該収納カセット１４がフル状態の場合、つまり当該循環金種の紙幣を過剰紙幣と判定した場合はステップＳＡ１−１４へ移行する。当該収納カセット１４に収納余裕が存在する場合はステップＳＡ１−１７へ移行する。
【００９０】
ＳＡ１−１４、搬送した入金紙幣が非出金紙幣（５千券、２千券と鑑別された非循環金種の入金紙幣、またはリジェクト紙幣（金種不明紙幣、搬送異常紙幣））であることを判定した、または循環金種の紙幣を過剰紙幣と判定した主制御部４は、上記ステップＳ１−１０と同様にして、仮リジェクトカセット１８ｃが設定されていないことを判定した場合、つまり通常通りの運用をしている場合はステップＳＡ１−１５へ移行する。仮リジェクトカセット１８ｃが設定されていることを判定した場合はステップＳＡ１−１６へ移行する。
【００９１】
ＳＡ１−１５、通常通りの運用がされていることを判定した主制御部４は、非出金紙幣または過剰紙幣の搬送先を、リジェクトカセット１５に決定してステップＳＡ１−１７へ移行する。
【００９２】
ＳＡ１−１６、仮リジェクトカセット１８が設定されていることを判定した主制御部４は、非出金紙幣または過剰紙幣の搬送先を、仮リジェクトカセット１８ｃに決定してステップＳＡ１−１７へ移行する。
【００９３】
ＳＡ１−１７、鑑別された入金紙幣の搬送先を決定した主制御部４は、決定された搬送先へ当該紙幣を搬送して収納する。
【００９４】
すなわち、主制御部４は、仮リジェクトカセット１８ｃが設定されていない場合は、万券と鑑別された入金紙幣は、搬送路１７ｂ、１７ｇ、１７ｉにより収納カセット１４ａへ搬送して収納し、千券と鑑別された入金紙幣は、搬送路１７ｂ、１７ｇ、１７ｈ、１７ｋにより収納カセット１４ｃへ搬送して収納し（図５に示す太い実線参照）、５千券、２千券またはリジェクト紙幣（金種不明紙幣、搬送異常紙幣）と鑑別された非出金紙幣または過剰紙幣は、搬送路１７ｂ、１７ｇ、１７ｈ、１７ｍによりリジェクトカセット１５へ搬送して収納する（図５に示す太い破線参照）。
【００９５】
また、主制御部４は、仮リジェクトカセット１８が設定されていた場合は、図１０に示すように、万券と鑑別された入金紙幣は、前記と同様にして収納カセット１４ａへ搬送して収納し（図１０に示す太い実線参照）、千券と鑑別された入金紙幣は、搬送路１７ｂ、１７ｇ、１７ｈ、１７ｋにより仮リジェクトカセット１８ｃ（収納カセット１４ｃ）へ搬送して収納し、非出金紙幣（５千券、２千券またはリジェクト紙幣（金種不明紙幣、搬送異常紙幣））と鑑別された入金紙幣または過剰紙幣は、搬送路１７ｂ、１７ｇ、１７ｈ、１７ｋにより仮リジェクトカセット１８ｃへ搬送して収納する（図１０に示す太い破線参照）。
【００９６】
この場合に主制御部４は、収納カセット１４に入金紙幣を収納したときは、記憶部５の収納枚数カウントエリア５ｃによって当該収納カセット１４の収納枚数に収納した枚数を加算して計数し、リジェクトカセット１５または仮リジェクトカセット１８ｃに入金紙幣を収納したときは、記憶部５の収納枚数カウントエリア５ｃによってリジェクトカセット１５または仮リジェクトカセット１８ｃのカウント数に収納した回数を加算して計数する。
【００９７】
ＳＡ１−１８、一時保留部１３から繰出した１枚の入金紙幣の収納を終えた主制御部４は、一時保留部１３の図示しない残留検出センサからの出力信号を確認し、一時保留部１３に入金紙幣が残留している場合はステップＳＡ１−６へ戻って次の入金紙幣の収納処理を実行する。
【００９８】
一時保留部１３に入金紙幣が残留していない場合、つまり全入金紙幣の収納を終えた場合は、入金取引の取引処理の終了を判定し、接続子Ｅを介して図７のステップＳ１−８へ移行する。
【００９９】
このようにして、本実施例の現金自動預払機１による入金取引処理が実行される。
【０１００】
以下に、図９に示すフローチャートを用い、ＳＢ１で示すステップに従って、本実施例の現金自動預払機１による出金取引処理について説明する。
【０１０１】
ＳＢ１−１、上記ステップＳ１−６において、出金取引の選択を認識し、接続子Ｂ１を介して移行した主制御部４は、上記ステップＳＡ１−１と同様にして、取引カード挿入画面を表示し、挿入された取引カードのカード情報を読取り、読取ったカード情報を記憶部５に一時保存する。
【０１０２】
ＳＢ１−２、カード情報を読取った主制御部４は、操作表示部６の表示画面に暗証番号の入力を促す旨の文言等を表示した暗証番号入力画面を表示し、顧客は暗証番号を入力する。
【０１０３】
ＳＢ１−３、入力された暗証番号を認識した主制御部４は、操作表示部６の表示画面に出金金額の入力を促す旨の文言等を表示した出金金額入力画面を表示し、顧客は出金金額を入力する。
【０１０４】
ＳＢ１−４、出金金額が入力されたことを認識した主制御部４は、操作表示部６の表示画面に、入力された出金金額、出金金額を確認したことを指示するための「確認」ボタン等を表示した出金金額確認画面を表示し、顧客は表示された出金金額を確認して「確認」ボタンを押下する。
【０１０５】
ＳＢ１−５、確認ボタンの押下により出金金額を認識した主制御部４は、出金取引の交信処理を実行する。
【０１０６】
すなわち、主制御部４は、記憶部５に一時保存した取引カードのカード情報に入力された暗証番号や出金金額等を添付した出金取引電文を作成し、これを通信回線３を介してホストコンピュータ２へ送信し、出金取引電文を受信したホストコンピュータ２は、添付されたカード情報を基に顧客の顧客情報を特定し、特定した顧客情報の暗証番号と送信された暗証番号とを照合し、暗証番号が一致した場合は顧客を認証し、特定した顧客の口座から出金金額を出金して口座残高を更新すると共に口座の更新が終了した旨を電文にして取引終了電文を作成する。
【０１０７】
そして、ホストコンピュータ２は取引終了電文を送信元の現金自動預払機１へ通信回線３を介して送信し、これを受信した主制御部４は、出金取引の交信処理を終了させて、ステップＳＢ１−６へ移行する。
【０１０８】
ＳＢ１−６、出金取引の交信処理を終えた主制御部４は、顧客に払出す出金紙幣の出金処理を実行するために、出金金額を構成する金種の紙幣を、当該収納カセット１４の分離集積機構により搬送路１７へ繰出して鑑別部１２へ搬送し、鑑別部１２によって搬送した紙幣の金種等を鑑別する（図６に示す太い破線参照）。
【０１０９】
この場合に主制御部４は、収納カセット１４から紙幣を繰出したときに、記憶部５の収納枚数カウントエリア５ｃによって当該収納カセット１４の収納枚数から繰出した枚数を減算して計数する。
【０１１０】
ＳＢ１−７、搬送した紙幣の金種等を鑑別した主制御部４は、鑑別された紙幣が循環金種の紙幣、つまり繰出元の収納カセット１４の設定金種（循環金種）に該当する場合は、ステップＳＢ１−８へ移行する。鑑別された紙幣が循環金種の紙幣でない場合、つまり非出金紙幣である非循環金種の紙幣（装填時のミス等により混入した２千券、５千券）もしくはリジェクト紙幣（金種不明紙幣、搬送異常紙幣）、または繰出元の収納カセット１４の設定金種に該当しない異金種紙幣の場合はステップＳＢ１−９へ移行する。
【０１１１】
ＳＢ１−８、鑑別された紙幣を出金金額を構成する出金紙幣と判定した主制御部４は、図６を用いて説明した出金動作と同様にして、当該出金紙幣を入出金部１１へ搬送して集積し（図１１に示す太い実線参照）、ステップＳ１−１２へ移行する。
【０１１２】
ＳＢ１−９、鑑別された紙幣を非出金紙幣等と判定した主制御部４は、上記ステップＳ１−１０と同様にして、仮リジェクトカセット１８ｃが設定されていないことを判定した場合、つまり通常通りの運用をしている場合は、ステップＳＢ１−１０へ移行する。仮リジェクトカセット１８ｃが設定されていることを判定した場合は、ステップＳＢ１−１１へ移行する。
【０１１３】
ＳＢ１−１０、通常通りの運用がされていることを判定した主制御部４は、当該非出金紙幣または異金種紙幣を、搬送路１７ｃ、１７ｎ、１７ｍを経由してリジェクトカセット１５へ搬送して収納し（図６に示す太い破線参照）、ステップＳＢ１−１２へ移行する。
【０１１４】
この場合に主制御部４は、リジェクトカセット１５に紙幣を収納したときに、記憶部５の収納枚数カウントエリア５ｃによってリジェクトカセット１５のカウント数に収納した回数を加算して計数する。
【０１１５】
ＳＢ１−１１、仮リジェクトカセット１８ｃが設定されていることを判定した主制御部４は、当該非出金紙幣または異金種紙幣を、搬送路１７ｃ、１７ｄを経由して一時保留部１３へ搬送して集積し（図１１に示す太い破線参照）、ステップＳＢ１−１２へ移行する。
【０１１６】
ＳＢ１−１２、収納カセット１４から繰出した１枚の出金紙幣の集積を終えた主制御部４は、入出金部１１へ集積した紙幣の金額を確認し、集積した紙幣の金額が入力された出金金額未満の場合は、ステップＳＢ１−６へ戻って次の出金紙幣の出金処理を実行する。
【０１１７】
入出金部１１へ集積した紙幣の金額が出金金額と一致した場合、つまり全出金紙幣の入出金部１１への集積を終えた場合はステップＳＢ１−１３へ移行する。
【０１１８】
ＳＢ１−１３、出金紙幣の入出金部１１への集積を終えた主制御部４は、取引内容等を基に印刷データを作成し、これをカード取扱部７へ送って明細票を印刷し、操作表示部６の表示画面に、現金や取引カード、明細票の受取りを促す旨の文言等を表示した現金等受取画面を表示し、入出金部１１のシャッタを開放して顧客に払出すと共に取引カードや明細票をカード取扱部７から排出する。
【０１１９】
そして、主制御部４は、顧客がこれらを受取ったことを確認して入出金部１１のシャッタを閉鎖し、ステップＳＢ１−１４へ移行する。
【０１２０】
ＳＢ１−１４、顧客が出金紙幣等を受取ったことを確認した主制御部４は、一時保留部１３の図示しない残留検出センサからの出力信号を確認し、一時保留部１３に紙幣が存在している場合はステップＳＢ１−１５へ移行する。
【０１２１】
一時保留部１３に紙幣が残留していない場合は、出金取引の取引処理の終了を判定し、接続子Ｅを介して図７のステップＳ１−８へ移行する。
【０１２２】
ＳＢ１−１５、上記ステップＳＢ１−１１において、仮リジェクトカセット１８ｃが設定されていたために一時保留部１３に集積された紙幣が存在していることを認識した主制御部４は、一時保留部１３の出金処理時の非出金紙幣等の移動処理を実行する。
【０１２３】
すなわち、主制御部４は、一時保留部１３に集積した紙幣（装填時のミス等により混入した非循環金種の紙幣、リジェクト紙幣（金種不明紙幣、搬送異常紙幣）、異金種紙幣）を、その分離繰出機構により順次に搬送路１７ｅへ繰出し、搬送路１７ｃを経由して鑑別部１２へ搬送し、鑑別部１２での鑑別結果に関らず、搬送路１７ｂ、１７ｇ、１７ｈ、１７ｋにより仮リジェクトカセット１８ｃへ搬送して収納する（図１２に示す太い実線参照）。
【０１２４】
この場合に主制御部４は、仮リジェクトカセット１８ｃに紙幣を収納したときに、記憶部５の収納枚数カウントエリア５ｃによって仮リジェクトカセット１８ｃのカウント数に収納した回数を加算して計数する。
【０１２５】
そして、一時保留部１３に集積した紙幣の仮リジェクトカセット１８ｃへの収納を終えた主制御部４は、出金取引の取引処理の終了を判定し、接続子Ｅを介して図７のステップＳ１−８へ移行する。
【０１２６】
このようにして、本実施例の現金自動預払機１による出金取引処理が実行される。
【０１２７】
なお、本実施例の現金自動預払機１による紙幣取扱処理として、振込取引における現金振込が選択された場合は、現金振込のための紙幣が入出金部１１に投入されると、図８に示した入金処理の取込処理および収納処理と同様にして、投入された紙幣を収納カセット１４またはリジェクトカセット１５、仮リジェクトカセット１８ｃが設定されている場合は仮リジェクトカセット１８ｃへ収納し、釣銭が必要な場合は、図９に示した出金処理や移動処理と同様にして、釣銭紙幣を入出金部１１へ集積して顧客に払出し、非出金紙幣等はリジェクトカセット１５、仮リジェクトカセット１８ｃが設定されている場合は仮リジェクトカセット１８ｃへ収納するようにする。
【０１２８】
上記のように、本実施例の現金自動預払機１の主制御部４による紙幣処理においては、リジェクトカセット１５がフル状態になったときに、最少収納枚数の収納カセット１４ｃを仮リジェクトカセット１８ｃに設定し、入金処理における収納処理においては、非出金紙幣等の搬送先をリジェクトカセット１５固定ではなく、非出金紙幣等の搬送先として設定された仮リジェクトカセット１８ｃへ搬送して収納し、出金処理においては、リジェクト紙幣等の非出金紙幣を、一旦一時保留部１３に集積し、出金処理の終了時に、移動処理によって、非出金紙幣等の搬送先として設定された仮リジェクトカセット１８ｃへ搬送して収納するので、リジェクトカセット１５がフル状態になった時点で、収納カセット１４に収納余裕がある場合には、リジェクトカセット１５の交換またはリジェクトカセット１５からの紙幣の抜取りが行われなくても、紙幣取扱取引を中止する必要がなく、現金自動預払機１による取引を自動的に継続することが可能となり、現金自動預払機１の稼動効率を向上させることができる。
【０１２９】
また、リジェクトカセット１５がフル状態になったときに、仮リジェクトカセット１８を設定して取引を自動的に継続したことを係員に通知するので、現金自動預払機１の利用状況および係員の空き状況を考慮して、現金自動預払機１の顧客に迷惑をかけない状況でのリジェクトカセット１５等の交換が可能になる。
【０１３０】
更に、設定金種変更記録エリアを設けて、仮リジェクトカセット１８ｃの設定の旨を記録し、リジェクトカセット１５のフル状態の解消時に、仮リジェクトカセット１８ｃに設定された収納カセット１４ｃの設定金種を自動的に元の設定金種に再設定するようにしたので、リジェクトカセット１５の交換、および仮リジェクトカセット１８ｃの交換または設定後に収納された紙幣の抜取りを行うだけで、リジェクトカセット１５がフル状態になる前の通常の運用状態に戻すことができる。
【０１３１】
以上説明したように、本実施例では、入出金部に投入され正常紙幣と鑑別された紙幣を集積する一時保留部と、循環金種を設定金種として当該紙幣を収納する複数の収納カセットと、収納カセットに収納されない紙幣を収納するリジェクトカセットとを有する紙幣入出金部を備えた現金自動取引装置において、リジェクトカセットの収納状態を確認したときに、リジェクトカセットの収納状態がフル状態である場合は、各収納カセットの中で最少収納枚数の収納カセットを仮リジェクトカセットに設定し、入金処理における収納処理時に、仮リジェクトカセットが設定されている場合は、一時保留部に集積された正常紙幣の中で、非出金紙幣および過剰紙幣と鑑別された紙幣を仮リジェクトカセットへ収納し、 出金処理時に、仮リジェクトカセットが設定されている場合は、非出金紙幣および異金種紙幣と鑑別された紙幣を一時保留部へ一旦集積し、出金処理の終了時に、一時保留部に集積した紙幣を仮リジェクトカセットへ収納するようにしたことによって、入金取引や出金取引等の紙幣取扱取引において、リジェクトカセットがフル状態になったとしても、紙幣取扱取引を中止することなく、紙幣の入出金を伴う紙幣取扱取引を自動的に継続して現金自動預払機による取引を継続させることができ、現金自動預払機の稼動効率を向上させることができる。
【０１３２】
また、初期画面を表示した待機時間が所定の時間経過したときに、リジェクトカセットの収納状態を確認し、確認したリジェクトカセットの収納状態がフル状態でなく、かつ仮リジェクトカセットが設定されていた場合は、仮リジェクトカセット設定した収納カセットの設定金種を元の設定金種に再設定するようにしたことによって、係員が、リジェクトカセット交換、および仮リジェクトカセットの交換または設定後に収納した紙幣の抜取りを行うだけで、リジェクトカセットがフル状態になる前の通常の運用状態に戻すことができる。
【０１３３】
更に、リジェクトカセットの収納状態がフル状態であることを確認して、仮リジェクトカセットを設定したときに、仮リジェクトカセットを設定した旨の通知を送信するようにしたことによって、現金自動預払機の利用状況および係員の空き状況を考慮して、現金自動預払機の顧客に迷惑をかけない状況でリジェクトカセット等の交換を容易に行うことができる。
【実施例２】
【０１３４】
以下に、図１３を用いて本実施例の現金自動預払機について説明する。なお上記実施例１と同様の部分は、同一の符号を付してその説明を省略する。
【０１３５】
本実施例の現金自動預払機１の記憶部５には、上記実施例１と同様の取引処理プログラム、紙幣処理プログラム、およびリジェクトカセット１５がフル状態になったときに、同一金種の中で最少収納枚数の収納カセット１４を仮リジェクトカセット１８に設定して非出金紙幣等の搬送先を変更する非出金紙幣等の搬送先変更処理を実行する機能を有するアプリケーションプログラム等からなる業務処理実行プログラムが予め格納されており、主制御部４が実行する業務処理実行プログラムのステップにより本実施例の現金自動預払機１の各機能手段が形成される。
【０１３６】
また、記憶部５には、上記実施例１と同様の収納状態確認時間が予め設定されて格納され、上記実施例１と同様の設定金種記憶エリア５ａ、設定金種変更記録エリア５ｂ、収納枚数カウントエリア５ｃ、取込紙幣カウントエリア５ｄが予め確保されている。
【０１３７】
本実施例の設定金種は、上記実施例１と同様に設定されている（図４参照）。
【０１３８】
以下に、図１３に示すフローチャートを用い、図１３にＳ２で示すステップに従って、本実施例の紙幣取扱取引の取引処理、およびリジェクトカセット１５がフル状態になった場合の非出金紙幣等の搬送先変更処理について説明する。
【０１３９】
本実施例のステップＳ２−１からＳ２−１３の作動は、上記実施例１のステップＳ１−１からＳ１−１３の作動と同様であるので、その説明を省略する。
【０１４０】
Ｓ２−１４、リジェクトカセット１５がフル状態であるが、収納カセット１４に収納余裕が存在することを判定した主制御部４は、記憶部５の設定金種変更記録エリア５ｂの各収納カセット１４の設定金種、および収納枚数カウントエリア５ｃの収納カセット１４別の収納枚数を読出し、同一金種に設定された収納カセット１４が存在する場合はステップＳ２−１６へ移行する。同一金種に設定された収納カセット１４が存在しない場合、つまり各収納カセット１４の設定金種が異なる場合はステップＳ２−１５へ移行する。
【０１４１】
Ｓ２−１５、各収納カセット１４の設定金種が異なることを判定した主制御部４は、上記実施例１のステップＳ１−１４と同様に、全収納カセット１４の中で最少収納枚数の収納カセット１４を仮リジェクトカセット１８に設定し、当該仮リジェクトカセット１８からの紙幣の繰出を停止してステップＳ２−１７へ移行する。
【０１４２】
Ｓ２−１６、同一金種に設定された収納カセット１４が存在することを判定した主制御部４は、同一金種の収納カセット１４（本実施例では、万券に設定された収納カセット１４ａ、１４ｂ）の中で、最少収納枚数の収納カセット１４（本実施例では、収納カセット１４ｂとする。）を仮リジェクトカセット１８ｂに設定し、仮リジェクトカセット１８ｂからの紙幣の繰出を停止してステップＳ２−１７へ移行する。このため、以後の作動においては、収納カセット１４ａからの万券および収納カセット１４ｃからの千券の出金が可能になる。
【０１４３】
Ｓ２−１７、仮リジェクトカセット１８ｂを設定した主制御部４は、記憶部５の設定金種変更記録エリア５ｂの収納カセット１４ｂの記録エリアに当該収納カセット１４ｂの現在の設定金種を記録して、仮リジェクトカセット１８ｂが設定された旨を記録し、収納カセット１４ｂを他の収納カセット１４（本実施例では、収納カセット１４ａ、１４ｃ）に収納されない紙幣を収納する仮リジェクトカセット１８ｂとして機能させる。
【０１４４】
Ｓ２−１８、仮リジェクトカセット１８ｂが設定された旨を記録した主制御部４は、リジェクトカセット１５がフル状態である旨および収納カセット１４ｂを仮リジェクトカセット１８ｂとして設定した旨を記した通知を図示しない店舗の管理端末へ送信して係員に通知し、ステップＳ２−１へ戻って操作表示部６の表示画面に、通常の取引選択画面を表示して待機する。この場合に、本実施例では万券および千券の出金が可能であるので、現金自動預払機１の運用形態は変更されない。
【０１４５】
なお、上記ステップＳ２−１５において、全収納カセット１４の中で最少収納枚数の収納カセット１４、例えば収納カセット１４ｃを仮リジェクトカセット１８ｃに設定した場合は、仮リジェクトカセット１８ｃからの繰出が停止されるので、操作表示部６の表示画面には、千券による出金が中止されている旨の文言を表示した運用形態を変更した取引選択画面が表示される。
【０１４６】
一方、通知を受けた係員は、顧客が当該現金自動預払機１を利用していないとき等に、フル状態のリジェクトカセット１５を空のリジェクトカセット１５に交換すると共に、仮リジェクトカセット１８ｂとして設定された収納カセット１４ｂから設定後に収納された紙幣を抜取って、紙幣取扱取引の通常運用を可能な状態にする。
【０１４７】
この場合に、仮リジェクトカセット１８ｂを設定金種の紙幣（万券）を適正な枚数装填した収納カセット１４ｂに交換するようにしてもよい。
【０１４８】
その後のステップＳ２−１９からＳ２−２１の作動は、上記実施例１のステップＳ１−１７からＳ１−１９の作動と同様であるので、その説明を省略する。
【０１４９】
本実施例の入金取引処理および出金取引処理の作動は、上記実施例１の入金取引処理（図８）および出金取引処理（図９）の作動と同様であるので、その説明を省略する。
【０１５０】
この場合に、入金処理の収納処理においては、鑑別された金種（万券）に設定された収納カセット１４が複数存在することを判定した主制御部４は、収納カセット１４ｂが仮リジェクトカセット１８ｂに設定されているので、収納カセット１４ａを搬送先に決定する（ステップＳＡ１−１１参照）。
【０１５１】
また、仮リジェクトカセット１８が設定されていることを判定した主制御部４は、仮リジェクトカセット１８ｂを搬送先に決定する（ステップＳＡ１−１６参照）。
【０１５２】
更に、出金処理の移動処理においては、主制御部４は、一時保留部１３に集積した紙幣を、鑑別部１２での鑑別結果に関らず、搬送路１７ｂ、１７ｇ、１７ｈ、１７ｊにより仮リジェクトカセット１８ｂへ搬送して収納する（ステップＳＢ１−１５参照）。
【０１５３】
上記のように、本実施例の現金自動預払機１の主制御部４による紙幣処理においては、上記実施例１に対して、リジェクトカセット１５がフル状態になったときに、同一金種に設定された収納カセット１４が存在するときは、同一金種の中で最少収納枚数の収納カセット１４ｂを仮リジェクトカセット１８ｂに設定するので、リジェクトカセット１５がフル状態になった時点で、紙幣取扱取引の出金にかかる取引の金種を制限することなく、２金種の出金取引が可能な状態の運用形態での紙幣取扱取引を自動的に継続することができる。
【０１５４】
以上説明したように、本実施例では、上記実施例１と同様の効果に加えて、リジェクトカセットがフル状態になったときに、同一金種に設定された収納カセットが存在するときは、同一金種の中で最少収納枚数の収納カセットを仮リジェクトカセットに設定するようにしたことによって、紙幣取扱取引において、リジェクトカセットがフル状態になったとしても、通常の運用形態での紙幣取扱取引を自動的に継続することができる。
【実施例３】
【０１５５】
以下に、図１４を用いて本実施例の現金自動預払機について説明する。なお上記実施例１と同様の部分は、同一の符号を付してその説明を省略する。
【０１５６】
本実施例の現金自動預払機１の記憶部５には、上記実施例１と同様の取引処理プログラム、紙幣処理プログラム、およびリジェクトカセット１５がフル状態になったときに、収納金額が最も少ない最少収納金額の収納カセット１４を仮リジェクトカセット１８に設定して非出金紙幣等の搬送先を変更する非出金紙幣等の搬送先変更処理を実行する機能を有するアプリケーションプログラム等からなる業務処理実行プログラムが予め格納されており、主制御部４が実行する業務処理実行プログラムのステップにより本実施例の現金自動預払機１の各機能手段が形成される。
【０１５７】
また、記憶部５には、上記実施例１と同様の収納状態確認時間が予め設定されて格納され、上記実施例１と同様の設定金種記憶エリア５ａ、設定金種変更記録エリア５ｂ、収納枚数カウントエリア５ｃ、取込紙幣カウントエリア５ｄが予め確保されている。
【０１５８】
本実施例の設定金種は、上記実施例１と同様に設定されている（図４参照）。
【０１５９】
以下に、図１４に示すフローチャートを用い、図１４にＳ３で示すステップに従って、本実施例の紙幣取扱取引の取引処理、およびリジェクトカセット１５がフル状態になった場合の非出金紙幣等の搬送先変更処理について説明する。
【０１６０】
なお、本実施例の説明においては、設定金種が万券に設定された収納カセット１４ａには１０００枚（１０００万円）、１４ｂには１００枚（１００万円）、設定金種が千券に設定された収納カセット１４ｃには５００枚（５０万円）の紙幣が収納されているものとして説明する。
【０１６１】
本実施例のステップＳ３−１からＳ３−１３の作動は、上記実施例１のステップＳ１−１からＳ１−１３の作動と同様であるので、その説明を省略する。
【０１６２】
Ｓ３−１４、リジェクトカセット１５がフル状態であるが、収納カセット１４に収納余裕が存在することを判定した主制御部４は、記憶部５の設定金種変更記録エリア５ｂの各収納カセット１４の設定金種、および収納枚数カウントエリア５ｃの収納カセット１４別の収納枚数を読出し、各収納カセット１４の収納枚数にそれぞれの設定金種の金額を乗じて、各収納カセット１４の収納金額を算出する。
【０１６３】
Ｓ３−１５、各収納カセット１４の収納金額を算出した主制御部４は、全収納カセット１４の中で収納金額が最も少ない最少収納金額の収納カセット１４（本実施例では、収納金額が５０万円である収納カセット１４ｃとする。）を仮リジェクトカセット１８ｃに設定し、仮リジェクトカセット１８ｃからの紙幣の繰出を停止してステップＳ３−１７へ移行する。このため、以後の作動においては、仮リジェクトカセット１８ｃの設定が解除されるまで、千券の出金が停止されることになる。
【０１６４】
Ｓ３−１６、仮リジェクトカセット１８ｃを設定した主制御部４は、記憶部５の設定金種変更記録エリア５ｂの収納カセット１４ｃの記録エリアに当該収納カセット１４ｃの現在の設定金種を記録して、仮リジェクトカセット１８ｃが設定された旨を記録し、収納カセット１４ｃを他の収納カセット１４（本実施例では、収納カセット１４ａ、１４ｂ）に収納されない紙幣を収納する仮リジェクトカセット１８ｃとして機能させる。
【０１６５】
Ｓ３−１７、仮リジェクトカセット１８ｃが設定された旨を記録した主制御部４は、リジェクトカセット１５がフル状態である旨および収納カセット１４ｃを仮リジェクトカセット１８ｃとして設定した旨を記した通知を図示しない店舗の管理端末へ送信して係員に通知し、ステップＳ１−１へ戻って操作表示部６の表示画面に、千券による出金が中止されている旨の文言を表示した運用形態を変更した取引選択画面を表示して待機する。
【０１６６】
なお、上記ステップＳ３−１５において、最少収納金額の収納カセット１４が、同一金種である万券に設定されている収納カセット１４ａ、１４ｂのいずれか一方、例えば収納カセット１４ｂを仮リジェクトカセット１８ｂに設定した場合は、仮リジェクトカセット１８ｂからの繰出は停止されるが、収納カセット１４ａからの繰出は停止されないので、万券および千券の出金が可能になり、運用形態は変更されない。
【０１６７】
一方、通知を受けた係員は、顧客が当該現金自動預払機１を利用していないとき等に、フル状態のリジェクトカセット１５を空のリジェクトカセット１５に交換すると共に、仮リジェクトカセット１８ｃとして設定された収納カセット１４ｃから設定後に収納された紙幣を抜取って、紙幣取扱取引の通常運用を可能な状態にする。
【０１６８】
この場合に、仮リジェクトカセット１８ｃを設定金種の紙幣（千券）を適正な枚数装填した収納カセット１４ｃに交換するようにしてもよい。
【０１６９】
その後のステップＳ３−１８からＳ３−２０の作動は、上記実施例１のステップＳ１−１７からＳ１−１９の作動と同様であるので、その説明を省略する。
【０１７０】
本実施例の入金取引処理および出金取引処理の作動は、上記実施例１の入金取引処理（図８）および出金取引処理（図９）の作動と同様であるので、その説明を省略する。
【０１７１】
上記のように、本実施例の現金自動預払機１の主制御部４による紙幣処理においては、上記実施例１に対して、リジェクトカセット１５がフル状態になったときに、全収納カセット１４の中で最少収納金額の収納カセット１４ｃを仮リジェクトカセット１８ｃに設定するので、リジェクトカセット１５がフル状態になった時点で、紙幣取扱取引を中止する必要がなく、出金可能金額を最大とした状態で、現金自動預払機１による取引を自動的に継続することが可能となり、現金自動預払機１の稼動効率を向上させることができる。
【０１７２】
以上説明したように、本実施例では、上記実施例１と同様の効果に加えて、リジェクトカセットがフル状態になったときに、最少収納金額の収納カセットを仮リジェクトカセットに設定するようにしたことによって、紙幣取扱取引において、リジェクトカセットがフル状態になったとしても、出金可能金額を最大とした状態で、紙幣取扱取引を自動的に継続することができる。
【実施例４】
【０１７３】
以下に、図１５ないし図１７を用いて本実施例の現金自動預払機について説明する。なお上記実施例１と同様の部分は、同一の符号を付してその説明を省略する。
【０１７４】
本実施例の現金自動預払機１の記憶部５には、上記実施例１と同様の取引処理プログラム、紙幣処理プログラム、およびリジェクトカセット１５がフル状態になったときに、上記実施例１と同様に、全収納カセット１４の中で、最少収納枚数の収納カセット１４を仮リジェクトカセット１８に設定して非出金紙幣等の搬送先を変更する非出金紙幣等の搬送先変更処理を実行する機能を有するアプリケーションプログラム、および出金処理時に一時保留部１３に集積した紙幣を、所定の収納カセット１４、または仮リジェクトカセット１８へ収納する非出金紙幣等の分別収納処理を実行する機能を有するアプリケーションプログラム等からなる業務処理実行プログラムが予め格納されており、主制御部４が実行する業務処理実行プログラムのステップにより本実施例の現金自動預払機１の各機能手段が形成される。
【０１７５】
また、記憶部５には、上記実施例１と同様の収納状態確認時間が予め設定されて格納され、上記実施例１と同様の設定金種記憶エリア５ａ、設定金種変更記録エリア５ｂ、収納枚数カウントエリア５ｃ、取込紙幣カウントエリア５ｄが予め確保されている。
【０１７６】
本実施例の設定金種は、上記実施例１と同様に設定されている（図４参照）。
【０１７７】
以下に、図１５に示すフローチャートを用い、Ｓ４で示すステップに従って、本実施例の紙幣取扱取引の取引処理、リジェクトカセット１５がフル状態になった場合の非出金紙幣等の搬送先変更処理、および出金処理時の非出金紙幣等の分別収納処理について説明する。
【０１７８】
本実施例のステップＳ４−１からＳ４−１９の作動は、上記実施例１のステップＳ１−１からＳ１−１９の作動と同様であるので、その説明を省略する。
【０１７９】
この場合に、ステップＳ４−６において、取引選択ボタンの押下を認識した主制御部４は、押下された取引選択ボタンが出金取引を選択したものである場合は、接続子Ｂ４を介して図１６のステップＳＢ４−１へ移行する。他の取引選択ボタンが押下された場合はステップＳ４−７へ移行する。
【０１８０】
本実施例の入金取引処理の作動は、上記実施例１の入金取引処理（図８）の作動と同様であるので、その説明を省略する。
【０１８１】
以下に、図１６に示すフローチャートを用い、ＳＢ４で示すステップに従って、本実施例の現金自動預払機１による出金取引処理について説明する。
【０１８２】
ＳＢ４−１、上記ステップＳ４−６において、出金取引の選択を認識し、接続子Ｂ４を介して移行した主制御部４は、上記実施例１のステップＳＡ１−１と同様にして、取引カード挿入画面を表示し、挿入された取引カードのカード情報を読取り、読取ったカード情報を記憶部５に一時保存する。
【０１８３】
その後のステップＳＢ４−２からＳＢ４−１４の作動は、上記実施例１のステップＳＢ１−２からＳＢ１−１４の作動と同様であるので、その説明を省略する。
【０１８４】
ＳＢ４−１５、上記ステップＳＢ４−１１において、仮リジェクトカセット１８ｃが設定されていたために一時保留部１３に集積された紙幣が存在していることを認識した主制御部４は、一時保留部１３の出金処理時の非出金紙幣等の分別収納処理を実行する。
【０１８５】
すなわち、主制御部４は、一時保留部１３に集積した紙幣（装填時のミス等により混入した非循環金種の紙幣、リジェクト紙幣（金種不明紙幣、搬送異常紙幣）、異金種紙幣）を、その分離繰出機構により、一時保留部１３の図示しない残留検出センサが紙幣の残留を検出しなくなるまで順次に搬送路１７ｅへ繰出し、搬送路１７ｃを経由して鑑別部１２へ搬送し、鑑別部１２によって搬送した紙幣の金種等を鑑別し、鑑別された紙幣が循環金種の紙幣（ステップＳＢ４−６における紙幣の鑑別時に、搬送異常紙幣と鑑別され一時保留部１３に集積された紙幣が、一時保留部１３で正常に分離され、鑑別部１２での再鑑別において正常に金種鑑別がなされた紙幣、金種不明紙幣と鑑別され一時保留部１３に集積された紙幣が、鑑別部１２での再鑑別において正常に金種鑑別がなされた紙幣、および異金種紙幣。本実施例では万券とする。）の場合は、その万券は上記実施例１のステップＳＡ１−８からＳＡ１−１１と同様にして、収納枚数が少ない収納カセット１４（収納カセット１４ａとする。）を搬送先に決定し、当該収納カセット１４ａに収納余裕が存在する場合は、搬送路１７ｂ、１７ｇ、１７ｉにより収納カセット１４ａへ搬送して収納し（図１７に示す太い実線参照）、鑑別部１２での再鑑別結果が、非出金紙幣（混入した非循環金種の紙幣、リジェクト紙幣（金種不明紙幣、搬送異常紙幣））および循環金種の千券と鑑別された紙幣の場合は、搬送路１７ｂ、１７ｇ、１７ｈ、１７ｋにより仮リジェクトカセット１８ｃへ搬送して収納する（図１７に示す太い破線参照）。
【０１８６】
この場合に主制御部４は、収納カセット１４に紙幣を収納したときは、記憶部５の収納枚数カウントエリア５ｃによって当該収納カセット１４の収納枚数に収納した枚数を加算して計数し、仮リジェクトカセット１８ｃに非出金紙幣を収納したときは、記憶部５の収納枚数カウントエリア５ｃによって仮リジェクトカセット１８ｃのカウント数に収納した回数を加算して計数する。
【０１８７】
そして、一時保留部１３に集積した紙幣の収納カセット１４または仮リジェクトカセット１８ｃへの収納を終えた主制御部４は、出金取引の取引処理の終了を判定し、接続子Ｅを介して図１５のステップＳ４−８へ移行する。
【０１８８】
このようにして、本実施例の現金自動預払機１による出金取引処理が実行される。
【０１８９】
上記のように、本実施例の現金自動預払機１の主制御部４による出金処理の移動処理においては、上記実施例１に対して、一時保留部１３に一旦集積した紙幣を再鑑別して、循環金種の紙幣と鑑別された場合は、その金種が設定された収納カセット１４へ搬送して収納するので、循環金種の紙幣が死蔵紙幣になってしまうことを抑制して、リジェクトカセット１５がフル状態になった後における循環金種の紙幣の収納枚数の減少を抑制しながら紙幣取扱取引を自動的に継続することができる。
【０１９０】
以上説明したように、本実施例では、上記実施例１と同様の効果に加えて、リジェクトカセットがフル状態になった後の出金処理において、一時保留部１３に一旦集積した紙幣が、鑑別部による再鑑別により循環金種と鑑別された紙幣を、当該金種が設定金種として設定された収納カセットへ搬送して収納するようにしたことによって、リジェクトカセットがフル状態になったとしても、循環金種の紙幣の収納枚数の減少を抑制しながら紙幣取扱取引を自動的に継続することができる。
【実施例５】
【０１９１】
以下に、図１８ないし図２０を用いて本実施例の現金自動預払機について説明する。なお上記実施例１と同様の部分は、同一の符号を付してその説明を省略する。
【０１９２】
本実施例の現金自動預払機１の記憶部５には、上記実施例１と同様の取引処理プログラム、紙幣処理プログラム、およびリジェクトカセット１５がフル状態になったときに、同一金種の中で収納枚数が最も少ない最少収納枚数の収納カセット１４を仮リジェクトカセット１８に設定し、その収納紙幣を同一金種の他の収納カセット１４へ移し替えて、非出金紙幣等の搬送先を変更する非出金紙幣等の搬送先変更処理を実行する機能を有するアプリケーションプログラム等からなる業務処理実行プログラムが予め格納されており、主制御部４が実行する業務処理実行プログラムのステップにより本実施例の現金自動預払機１の各機能手段が形成される。
【０１９３】
また、記憶部５には、上記実施例１と同様の収納状態確認時間が予め設定されて格納され、上記実施例１と同様の設定金種記憶エリア５ａ、設定金種変更記録エリア５ｂ、収納枚数カウントエリア５ｃ、取込紙幣カウントエリア５ｄが予め確保されている。
【０１９４】
本実施例の設定金種は、上記実施例１と同様に設定されている（図４参照）。
【０１９５】
以下に、図１８に示すフローチャートを用い、Ｓ５で示すステップに従って、本実施例の紙幣取扱取引の取引処理、およびリジェクトカセット１５がフル状態になった場合の非出金紙幣等の搬送先変更処理について説明する。
【０１９６】
本実施例のステップＳ５−１からＳ５−１４の作動は、上記実施例２のステップＳ２−１からＳ２−１４の作動と同様であるので、その説明を省略する。
【０１９７】
Ｓ５−１５、同一金種に設定された収納カセット１４が存在することを判定した主制御部４は、同一金種の収納カセット１４（本実施例では、万券に設定された収納カセット１４ａ、１４ｂ）の中で、収納枚数が最少の収納カセット１４（本実施例では、収納カセット１４ｂとする。）の収納枚数と、同一金種の他の収納カセット１４（本実施例では、収納カセット１４ａ）の収納余裕に収納可能な紙幣の枚数である収納可能枚数とを比較し、収納カセット１４ｂの収納枚数が、収納カセット１４ｂの収納可能枚数未満の場合は、移し替え可能と判定してステップＳ５−１７へ移行する。
【０１９８】
収納カセット１４ｂの収納枚数が、収納カセット１４ｂの収納可能枚数以上の場合は、移し替え不可能と判定してステップＳ５−１６へ移行する。
【０１９９】
Ｓ５−１６、各収納カセット１４の設定金種が異なることを判定した、または移し替え不可能と判定した主制御部４は、上記実施例１のステップＳ１−１４と同様に、全収納カセット１４の中で最少収納枚数の収納カセット１４を仮リジェクトカセット１８に設定し、当該仮リジェクトカセット１８からの紙幣の繰出を停止してステップＳ５−１９へ移行する。
【０２００】
Ｓ５−１７、収納カセット１４ｂの収納紙幣を、同一金種に設定された他の収納カセット１４ａへ移し替えることが可能と判定した主制御部４は、同一金種の収納カセット１４の中で最少収納枚数の収納カセット１４ｂを仮リジェクトカセット１８ｂに設定し、仮リジェクトカセット１８ｂからの紙幣の繰出を停止してステップＳ５−１８へ移行する。このため、以後の作動においては、収納カセット１４ａからの万券および収納カセット１４ｃからの千券の出金が可能になる。
【０２０１】
Ｓ５−１８、最少収納枚数の収納カセット１４ｂを仮リジェクトカセット１８ｂに設定した主制御部４は、仮リジェクトカセット１８ｂに収納されている循環金種の紙幣（万券）を、同一金種に設定された他の収納カセット１４ａへ移し替える収納紙幣の移し替え処理を実行する。
【０２０２】
すなわち、主制御部４は、仮リジェクトカセット１８ｂ（収納カセット１４ｂ）の分離集積機構により収納紙幣を順次に搬送路１７ｊへ繰出し、搬送路１７ｈ、１７ｇ、１７ｂを経由して鑑別部１２へ搬送し、鑑別部１２での鑑別結果に関らず、搬送路１７ｃ、１７ｄにより一時保留部１３へ搬送して集積し（図１９に示す太い実線参照）、仮リジェクトカセット１８ｂの収納紙幣の全てを一時保留部１３に集積した後に、一時保留部１３に集積した紙幣を、その分離繰出機構により順次に搬送路１７ｅへ繰出し、搬送路１７ｃを経由して鑑別部１２へ搬送し、鑑別部１２での鑑別結果に関らず、搬送路１７ｂ、１７ｇ、１７ｉにより収納カセット１４ａへ搬送して収納し（図２０に示す太い実線参照）、一時保留部１３へ一旦集積した紙幣の全てを収納カセット１４ａへ収納した後に、ステップＳ５−１９へ移行する。
【０２０３】
この場合に主制御部４は、仮リジェクトカセット１８ｂから収納紙幣を繰出したときに、記憶部５の収納枚数カウントエリア５ｃによって仮リジェクトカセット１８ｂ（収納カセット１４ｂ）の収納枚数から繰出した枚数を減算して計数し、仮リジェクトカセット１８ｂの収納枚数が「０」になったことを確認する。
【０２０４】
また、収納カセット１４ａへ循環金種の紙幣（万券）を収納したときに、記憶部５の収納枚数カウントエリア５ｃによって当該収納カセット１４ａの収納枚数に収納した枚数を加算して計数する。
【０２０５】
Ｓ５−１９、仮リジェクトカセット１８ｂを設定した主制御部４は、記憶部５の設定金種変更記録エリア５ｂの収納カセット１４ｂの記録エリアに当該収納カセット１４ｂの現在の設定金種を記録して、仮リジェクトカセット１８ｂが設定された旨を記録し、収納カセット１４ｂを他の収納カセット１４（本実施例では、収納カセット１４ａ、１４ｃ）に収納されない紙幣を収納する仮リジェクトカセット１８ｂとして機能させる。
【０２０６】
Ｓ５−２０、仮リジェクトカセット１８ｂが設定された旨を記録した主制御部４は、リジェクトカセット１５がフル状態である旨および収納カセット１４ｂを仮リジェクトカセット１８ｂとして設定した旨を記した通知を図示しない店舗の管理端末へ送信して係員に通知し、ステップＳ５−１へ戻って操作表示部６の表示画面に、通常の取引選択画面を表示して待機する。このため現金自動預払機１の運用形態は変更されない。
【０２０７】
なお、上記ステップＳ５−１６において、全収納カセット１４の中で最少収納枚数の収納カセット１４、例えば収納カセット１４ｃを仮リジェクトカセット１８ｃに設定した場合は、仮リジェクトカセット１８ｃからの繰出が停止されるので、操作表示部６の表示画面には、千券による出金が中止されている旨の文言を表示した運用形態を変更した取引選択画面が表示される。
【０２０８】
一方、通知を受けた係員は、顧客が当該現金自動預払機１を利用していないとき等に、フル状態のリジェクトカセット１５を空のリジェクトカセット１５に交換すると共に、仮リジェクトカセット１８ｂとして設定された収納カセット１４ｂから設定後に収納された紙幣を抜取って、紙幣取扱取引の通常運用を可能な状態にする。
【０２０９】
その後のステップＳ５−２１からＳ５−２３の作動は、上記実施例１のステップＳ１−１７からＳ１−１９の作動と同様であるので、その説明を省略する。
【０２１０】
本実施例の入金取引処理および出金取引処理の作動は、上記実施例２の入金取引処理（図８参照）および出金取引処理（図９参照）の作動と同様であるので、その説明を省略する。
【０２１１】
上記のように、本実施例の現金自動預払機１の主制御部４による紙幣処理においては、上記実施例１に対して、リジェクトカセット１５がフル状態になったときに、同一金種に設定された収納カセット１４が存在するときは、同一金種の中で最少収納枚数の収納カセット１４ｂの収納枚数が、他の同一金種の収納カセット１４ａの収納可能枚数より少ない場合は、当該収納カセット１４ｂを仮リジェクトカセット１８ｂに設定し、その収納枚数の紙幣の全てを、一旦一時保留部１３に集積した後に、他の同一金種の収納カセット１４ａへ移し替えて仮リジェクトカセット１８ｂを空にするので、リジェクトカセット１５がフル状態になった時点で、紙幣取扱取引の出金にかかる取引の金種を制限することなく、通常の運用形態での紙幣取扱取引を自動的に継続することができると共に、死蔵紙幣の発生を大幅に抑制することができる。
【０２１２】
以上説明したように、本実施例では、上記実施例２と同様の効果に加えて、リジェクトカセットがフル状態になったときに、同一金種に設定された収納カセットが存在し、それらの中で収納枚数が最少の収納カセットの収納枚数が、同一金種の他の収納カセットの収納可能枚数未満の場合は、最少収納枚数の収納カセットを仮リジェクトカセットに設定し、その収納紙幣を、同一金種の他の収納カセットへ移し替えるようにしたことによって、リジェクトカセットがフル状態になったとしても、死蔵紙幣の発生を大幅に抑制しながら、通常の運用形態での紙幣取扱取引を自動的に継続することができる。
【実施例６】
【０２１３】
以下に、図２１および図２２を用いて本実施例の現金自動預払機について説明する。なお上記実施例１と同様の部分は、同一の符号を付してその説明を省略する。
【０２１４】
本実施例の現金自動預払機１の記憶部５には、上記実施例１と同様の取引処理プログラム、紙幣処理プログラム、およびリジェクトカセット１５がフル状態になったときに、上記実施例１と同様に、全収納カセット１４の中で最少収納枚数の収納カセット１４を仮リジェクトカセット１８に設定して非出金紙幣等の搬送先を変更する非出金紙幣等の搬送先変更処理を実行する機能を有するアプリケーションプログラム、およびリジェクトカセット１５の収納状態の確認時に、フル状態でない空のリジェクトカセット１５が装着されていた場合に、仮リジェクトカセット１８に設定後に収納された紙幣を新たに装着された空のリジェクトカセット１５へ移し替える設定後収納紙幣の移し替え処理を実行する機能を有するアプリケーションプログラム等からなる業務処理実行プログラムが予め格納されており、主制御部４が実行する業務処理実行プログラムのステップにより本実施例の現金自動預払機１の各機能手段が形成される。
【０２１５】
また、記憶部５には、上記実施例１と同様の収納状態確認時間が予め設定されて格納され、上記実施例１と同様の設定金種記憶エリア５ａ、設定金種変更記録エリア５ｂ、収納枚数カウントエリア５ｃ、取込紙幣カウントエリア５ｄが予め確保されている。
【０２１６】
本実施例の設定金種は、上記実施例１と同様に設定されている（図４参照）。
【０２１７】
以下に、図２１に示すフローチャートを用い、Ｓ６で示すステップに従って、本実施例の紙幣取扱取引の取引処理、リジェクトカセット１５がフル状態になった場合の非出金紙幣等の搬送先変更処理および設定後収納紙幣の移し替え処理について説明する。
【０２１８】
本実施例のステップＳ６−１からＳ６−１８の作動は、上記実施例１のステップＳ１−１からＳ１−１８の作動と同様であるので、その説明を省略する。
【０２１９】
この場合に、ステップＳ６−１４において、最少収納枚数の収納カセット１４ｃを仮リジェクトカセット１８ｃに設定したときに、主制御部４は記憶部５の収納枚数カウントエリア５ｃに記憶されている当該収納カセット１４ｃの収納枚数を読出し、これを仮リジェクトカセット１８ｃの設定時の収納枚数として記憶部５に一時保存する。
【０２２０】
なお、以下の説明においては、ステップＳ６−１６において、通知を受けた係員は、フル状態のリジェクトカセット１５を空のリジェクトカセット１５に交換し、仮リジェクトカセット１８ｃとして設定された収納カセット１４ｃは、そのままの状態、つまり設定後に収納された紙幣は抜取られていない状態になっているものとする。
【０２２１】
Ｓ６−１９、仮リジェクトカセット１８ｃが設定されていたことを判定した主制御部４は、上記ステップＳ６−１４で一時保存した収納カセット１４ｃ（仮リジェクトカセット１８ｃ）の設定時の収納枚数を読出し、仮リジェクトカセット１８ｃの設定後収納紙幣を、空のリジェクトカセット１５へ移し替える設定後収納紙幣の移し替え処理を実行する。
【０２２２】
すなわち、主制御部４は、仮リジェクトカセット１８ｃ（収納カセット１４ｃ）に収納されている紙幣を、その分離集積機構により順次に搬送路１７ｋへ繰出し、搬送路１７ｈ、１７ｇ、１７ｂを経由して鑑別部１２へ搬送し、鑑別部１２での鑑別結果に関らず、搬送路１７ｃ、１７ｎ、１７ｍにより空のリジェクトカセット１５へ搬送して収納し（図２２に示す太い実線参照）、記憶部５の収納枚数カウントエリア５ｃによってリジェクトカセット１５への収納回数を計数する。
【０２２３】
この場合に、主制御部４は、仮リジェクトカセット１８ｃから紙幣を繰出したときに、記憶部５の収納枚数カウントエリア５ｃによって仮リジェクトカセット１８ｃ（収納カセット１４ｃ）のカウント数から繰出した枚数を減算して仮リジェクトカセット１８ｃの収納枚数を計数し、そのカウント数が読出した収納枚数になったときに、設定後収納紙幣の移し替え処理を終了させてステップＳ６−２０へ移行する。
【０２２４】
Ｓ６−２０、設定後収納紙幣の移し替え処理を終えた主制御部４は、上記実施例１のステップＳ１−１９と同様にして、仮リジェクトカセット１８ｃの設定を解除して収納カセット１４ｃの設定金種を元の設定金種に再設定し、ステップＳ６−１へ戻って通常の取引選択画面を表示して待機する。
【０２２５】
本実施例の入金取引処理および出金取引処理の作動は、上記実施例１の入金取引処理（図８）および出金取引処理（図９）の作動と同様であるので、その説明を省略する。
【０２２６】
この場合に、上記ステップＳ６−２０において、収納カセット１４ｃの設定金種は、予め設定された設定金種である千券に書替えられているので、仮リジェクトカセット１８ｃへの収納時の収納回数のカウント数と実際の収納枚数との相違により収納カセット１４ｃに搬送異常による万券や非循環金種の紙幣等が残留していたとしても、本実施例の出金処理においては、繰出元の収納カセット１４の設定金種と異なる異金種紙幣や非循環金種の紙幣等は、リジェクトカセット１５へ収納されるため（ステップＳＢ１−７、９、１０参照）、出金取引において混乱が生ずることはない。
【０２２７】
上記のように、本実施例の現金自動預払機１の主制御部４による設定後収納紙幣の移し替え処理においては、上記実施例１に対して、リジェクトカセット１５がフル状態になった後のリジェクトカセット１５の交換時に、仮リジェクトカセット１８ｃの設定後収納紙幣を、仮リジェクトカセット１８ｃから交換されたリジェクトカセット１５へ移し替えるので、フル状態のリジェクトカセット１５を、空のリジェクトカセット１５に交換すれば、仮リジェクトカセット１８ｃに設定されていた収納カセット１４ｃをリジェクトカセット１５がフル状態になったときの状態に自動的に戻すことが可能になり、設定前に当該収納カセット１４ｃに収納されていた循環金種の紙幣（千券）を、死蔵紙幣とすることなく、使用可能とすることができる。
【０２２８】
以上説明したように、本実施例では、上記実施例１と同様の効果に加えて、リジェクトカセットの収納状態を確認したときに、確認したリジェクトカセットの収納状態がフル状態でなく、かつ仮リジェクトカセットが設定されていた場合は、仮リジェクトカセットの設定後収納紙幣を、フル状態でないことを確認した交換されたリジェクトカセットへ移し替え、その後に、仮リジェクトカセットに設定された収納カセットの設定金種を、元の設定金種に再設定するようにしたことによって、フル状態のリジェクトカセットを交換するだけで、仮リジェクトカセットに設定されていた収納カセットを、リジェクトカセットがフル状態になったときの状態に自動的に戻すことが可能になり、設定前に当該収納カセットに収納されていた循環金種の紙幣を使用可能とすることができる。
【実施例７】
【０２２９】
以下に、図２３ないし図２５を用いて本実施例の現金自動預払機について説明する。なお上記実施例１と同様の部分は、同一の符号を付してその説明を省略する。
【０２３０】
本実施例の現金自動預払機１の記憶部５には、上記実施例１と同様の取引処理プログラム、紙幣処理プログラム、およびリジェクトカセット１５がフル状態になったときに、上記実施例１と同様に、全収納カセット１４の中で最少収納枚数の収納カセット１４を仮リジェクトカセット１８に設定して非出金紙幣等の搬送先を変更する非出金紙幣等の搬送先変更処理を実行する機能を有するアプリケーションプログラム、およびリジェクトカセット１５の収納状態の確認時に、フル状態でない空のリジェクトカセット１５が装着されていた場合に、仮リジェクトカセット１８に設定後に収納された紙幣を、所定の収納カセット１４、および新たに装着された空のリジェクトカセット１５へ収納する設定後収納紙幣の分別収納処理を実行する機能を有するアプリケーションプログラム等からなる業務処理実行プログラムが予め格納されており、主制御部４が実行する業務処理実行プログラムのステップにより本実施例の現金自動預払機１の各機能手段が形成される。
【０２３１】
また、記憶部５には、上記実施例１と同様の収納状態確認時間が予め設定されて格納され、上記実施例１と同様の設定金種記憶エリア５ａ、設定金種変更記録エリア５ｂ、収納枚数カウントエリア５ｃ、取込紙幣カウントエリア５ｄが予め確保されている。
【０２３２】
本実施例の設定金種は、上記実施例１と同様に設定されている（図４参照）。
【０２３３】
以下に、図２３に示すフローチャートを用い、Ｓ７で示すステップに従って、本実施例の紙幣取扱取引の取引処理、リジェクトカセット１５がフル状態になった場合の非出金紙幣等の搬送先変更処理および設定後収納紙幣の分別収納処理について説明する。
【０２３４】
本実施例のステップＳ７−１からＳ７−１８の作動は、上記実施例１のステップＳ１−１からＳ１−１８の作動と同様であるので、その説明を省略する。
【０２３５】
この場合に、ステップＳ７−１４において、最少収納枚数の収納カセット１４ｃを仮リジェクトカセット１８ｃに設定したときに、主制御部４は記憶部５の収納枚数カウントエリア５ｃに記憶されている当該収納カセット１４ｃの収納枚数を読出し、これを仮リジェクトカセット１８ｃの設定時の収納枚数として記憶部５に一時保存する。
【０２３６】
なお、以下の説明においては、ステップＳ７−１６において、通知を受けた係員は、フル状態のリジェクトカセット１５を空のリジェクトカセット１５に交換し、仮リジェクトカセット１８ｃとして設定された収納カセット１４ｃは、そのままの状態、つまり設定後に収納された紙幣は抜取られていない状態になっているものとする。
【０２３７】
Ｓ７−１９、仮リジェクトカセット１８ｃが設定されていたことを判定した主制御部４は、上記ステップＳ７−１４で一時保存した収納カセット１４ｃ（仮リジェクトカセット１８ｃ）の設定時の収納枚数を読出し、設定後収納紙幣の分別収納処理を実行するために、仮リジェクトカセット１８ｃの設定後収納紙幣を、一時保留部１３へ一旦集積すると共に、その過程で非出金紙幣と鑑別された紙幣を空のリジェクトカセット１５へ収納する。
【０２３８】
すなわち、主制御部４は、仮リジェクトカセット１８ｃ（収納カセット１４ｃ）に収納されている紙幣（非循環金種の紙幣、リジェクト紙幣（金種不明紙幣、搬送異常紙幣）、過剰紙幣、異金種紙幣、および仮リジェクトカセット１８ｃの設定後に収納された千券）を、その分離集積機構により順次に搬送路１７ｋへ繰出し、搬送路１７ｈ、１７ｇ、１７ｂを経由して鑑別部１２へ搬送し、鑑別部１２によって搬送した紙幣の金種等を鑑別し、鑑別された紙幣が循環金種の紙幣（収納処理や出金処理の鑑別時に、搬送異常紙幣と鑑別され仮リジェクトカセット１８ｃに収納された紙幣が、仮リジェクトカセット１８ｃで正常に分離され、本ステップの鑑別において正常に金種鑑別がなされた紙幣、金種不明紙幣と鑑別され仮リジェクトカセット１８ｃに収納された紙幣が、本ステップの鑑別において正常に金種鑑別がなされた紙幣、仮リジェクトカセット１８ｃの設定後に収納された千券および過剰紙幣、異金種紙幣）の場合は、搬送路１７ｃ、１７ｄにより一時保留部１３へ搬送して集積し（図２４に示す太い実線参照）、鑑別された紙幣が非出金紙幣（非循環金種の紙幣、リジェクト紙幣（金種不明紙幣、搬送異常紙幣））の場合は、搬送路１７ｃ、１７ｎ、１７ｍにより空のリジェクトカセット１５へ搬送して収納し（図２４に示す太い破線参照）、記憶部５の収納枚数カウントエリア５ｃによってリジェクトカセット１５への収納回数を計数する。
【０２３９】
この場合に、主制御部４は、仮リジェクトカセット１８ｃから紙幣を繰出したときに、記憶部５の収納枚数カウントエリア５ｃによって仮リジェクトカセット１８ｃ（収納カセット１４ｃ）のカウント数から繰出した枚数を減算して仮リジェクトカセット１８ｃの収納枚数を計数し、そのカウント数が読出した収納枚数になったときに、紙幣の繰出を終了させてステップＳ７−２０へ移行する。
【０２４０】
Ｓ７−２０、仮リジェクトカセット１８ｃからの紙幣の繰出および一時保留部１３への集積等を終えた主制御部４は、上記実施例１のステップＳ１−１９と同様にして、仮リジェクトカセット１８ｃの設定を解除して収納カセット１４ｃの設定金種を元の設定金種に再設定する。
【０２４１】
Ｓ７−２１、収納カセット１４ｃを元の設定金種を再設定した主制御部４は、一時保留部１３に集積した紙幣を、その分離繰出機構により順次に搬送路１７ｅへ繰出し、搬送路１７ｃを経由して鑑別部１２へ搬送し、鑑別部１２によって搬送した紙幣の金種等を鑑別し、鑑別された紙幣が循環金種の万券の場合は、上記実施例１のステップＳＡ１−８からＳＡ１−１１と同様にして、収納枚数が少ない収納カセット１４（例えば収納カセット１４ａ）を搬送先に決定し、当該収納カセット１４ａに収納余裕が存在する場合は、搬送路１７ｂ、１７ｇ、１７ｉにより収納カセット１４ａへ搬送して収納し、鑑別された紙幣が循環金種の千券の場合は、搬送路１７ｂ、１７ｇ、１７ｈ、１７ｋにより収納カセット１４ｃへ搬送して収納し（図２５に示す太い実線参照）、鑑別部１２での鑑別結果が非出金紙幣の場合（リジェクト紙幣である搬送異常紙幣、金種不明紙幣が該当する。）は、搬送路１７ｂ、１７ｇ、１７ｈ、１７ｍにより空のリジェクトカセット１５へ搬送して収納する（図２５に示す太い破線参照）。
【０２４２】
この場合に主制御部４は、収納カセット１４に紙幣を収納したときは、記憶部５の収納枚数カウントエリア５ｃによって当該収納カセット１４の収納枚数に収納した枚数を加算して計数し、リジェクトカセット１５に非出金紙幣を収納したときは、記憶部５の収納枚数カウントエリア５ｃによってリジェクトカセット１５のカウント数に収納した回数を加算して計数する。
【０２４３】
そして、主制御部４は、一時保留部１３の図示しない残留検出センサが紙幣の残留を検出しなくなったときに、分別収納処理を終了させ、ステップＳ７−１へ戻って通常の取引選択画面を表示して待機する。
【０２４４】
本実施例の入金取引処理および出金取引処理の作動は、上記実施例１の入金取引処理（図８）および出金取引処理（図９）の作動と同様であるので、その説明を省略する。
【０２４５】
上記のように、本実施例の現金自動預払機１の主制御部４による設定後収納紙幣の分別収納処理においては、上記実施例１に対して、リジェクトカセット１５がフル状態になった後のリジェクトカセット１５の交換時に、仮リジェクトカセット１８ｃの設定後収納紙幣を、仮リジェクトカセット１８ｃから一旦一時保留部１３に集積した後、循環金種の紙幣は所定の収納カセット１４へ、非出金紙幣は交換されたリジェクトカセット１５へ収納するので、フル状態のリジェクトカセット１５を、空のリジェクトカセット１５に交換すれば、仮リジェクトカセット１８ｃに設定されていた収納カセット１４ｃをリジェクトカセット１５がフル状態になったときの状態に自動的に戻すことが可能になり、設定前に当該収納カセット１４ｃに収納されていた循環金種の紙幣（千券）を、死蔵紙幣とすることなく、使用可能とすることができると共に、仮リジェクトカセット１８ｃに設置後に収納された紙幣に含まれていた過剰紙幣、異金種紙幣、元の設定金種の紙幣（千券）等の循環金種の紙幣を、死蔵紙幣とすることなく有効に活用することができる。
【０２４６】
以上説明したように、本実施例では、上記実施例１と同様の効果に加えて、リジェクトカセットの収納状態を確認したときに、確認したリジェクトカセットの収納状態がフル状態でなく、かつ仮リジェクトカセットが設定されていた場合は、仮リジェクトカセットの設定後収納紙幣の中で、循環金種の紙幣と鑑別された紙幣を一時保留部へ集積し、非出金紙幣と鑑別された紙幣をフル状態でないことを確認した交換されたリジェクトカセットへ収納し、仮リジェクトカセットに設定された収納カセットの設定金種を、元の設定金種に再設定した後に、一時保留部へ集積した紙幣の中で、非出金紙幣と鑑別された紙幣をフル状態でないことを確認した交換されたリジェクトカセットへ、循環金種と鑑別された紙幣をその金種に設定された収納カセットへ収納するようにしたことによって、フル状態のリジェクトカセットを交換するだけで、仮リジェクトカセットに設定されていた収納カセットを、リジェクトカセットがフル状態になったときの状態に自動的に戻すことが可能になり、設定前および設定後に当該収納カセットに収納されていた循環金種の紙幣を使用可能として、循環金種の紙幣の有効利用を図ることができる。
【実施例８】
【０２４７】
以下に、図２６ないし図３０を用いて本実施例の現金自動預払機について説明する。なお上記実施例１と同様の部分は、同一の符号を付してその説明を省略する。
【０２４８】
本実施例の収納状態検出センサ１６には、各カセット１４、１５の紙幣の収納状態がニアフル状態（数回の取引で取扱う紙幣を収納することができなくなった状態をいう。）になったことを検出する機能が追加されている。
【０２４９】
本実施例の現金自動預払機１の記憶部５には、上記実施例１と同様の取引処理プログラム、紙幣処理プログラム、リジェクトカセット１５がニアフル状態になったときに、最少収納枚数の収納カセット１４を仮リジェクトカセット１８に設定し、ニアフル状態のリジェクトカセット１５を搬送異常紙幣の搬送先に設定し、搬送異常を除く非出金紙幣等の搬送先を仮リジェクトカセット１８に変更する非出金紙幣等の搬送先変更処理を実行する機能を有するアプリケーションプログラム、およびリジェクトカセット１５の収納状態の確認時に、ニアフル状態でない空のリジェクトカセット１５が装着されていた場合に、仮リジェクトカセット１８に設定後に収納された紙幣を、所定の収納カセット１４、および新たに装着された空のリジェクトカセット１５へ収納する設定後収納紙幣の分別収納処理を実行する機能を有するアプリケーションプログラム等からなる業務処理実行プログラムが予め格納されており、主制御部４が実行する業務処理実行プログラムのステップにより本実施例の現金自動預払機１の各機能手段が形成される。
【０２５０】
また、記憶部５には、上記実施例１と同様の収納状態確認時間が予め設定されて格納され、上記実施例１と同様の設定金種記憶エリア５ａ、設定金種変更記録エリア５ｂ、収納枚数カウントエリア５ｃ、取込紙幣カウントエリア５ｄが予め確保されている。
【０２５１】
本実施例の設定金種は、上記実施例１と同様に設定されている（図４参照）。
【０２５２】
以下に、図２６ないし図２８に示すフローチャートを用い、図２６にＳ８で、図２７にＳＡ８で、図２８にＳＢ８で示すステップに従って、本実施例の紙幣取扱取引の取引処理、リジェクトカセット１５がニアフル状態になった場合の非出金紙幣等の搬送先変更処理および設定後収納紙幣の分別収納処理について説明する。
【０２５３】
本実施例のステップＳ８−１からＳ８−８の作動は、上記実施例１のステップＳ１−１からＳ１−８の作動と同様であるので、その説明を省略する。
【０２５４】
この場合に、ステップＳ８−５において、取引選択ボタンの押下を認識した主制御部４は、押下された取引選択ボタンが入金取引を選択したものである場合は、接続子Ａ８を介して図２７のステップＳＡ８−１へ移行する。他の取引選択ボタンが押下された場合はステップＳ８−６へ移行する。
【０２５５】
また、ステップＳ８−６において、取引選択ボタンの押下を認識した主制御部４は、押下された取引選択ボタンが出金取引を選択したものである場合は、接続子Ｂ８を介して図２８のステップＳＢ８−１へ移行する。他の取引選択ボタンが押下された場合はステップＳ８−７へ移行する。
【０２５６】
Ｓ８−９、各カセット１４、１５の収納状態を確認した主制御部４は、リジェクトカセット１５がフル状態でない場合は、ステップＳ８−１２へ移行する。リジェクトカセット１５がフル状態である場合はステップＳ８−１０へ移行する。
【０２５７】
Ｓ８−１０、リジェクトカセット１５がフル状態であることを判定した主制御部４は、入金取引や出金取引等の紙幣取扱取引を中止に設定する。
【０２５８】
Ｓ８−１１、紙幣取扱取引を中止した主制御部４は、リジェクトカセット１５がフル状態である旨を記した通知を図示しない店舗の管理端末へ送信して係員に通知し、ステップＳ８−１へ戻って操作表示部６の表示画面に、紙幣取扱取引が中止されている旨の文言、および入金取引や出金取引等の紙幣取扱取引の選択ボタンを非表示とした運用形態を変更した取引選択画面を表示して待機する。
【０２５９】
一方、通知を受けた係員は、フル状態のリジェクトカセット１５を空のリジェクトカセット１５に交換して、紙幣取扱取引の通常運用を可能な状態にする。
【０２６０】
Ｓ８−１２、リジェクトカセット１５がフル状態でないことを確認した主制御部４は、リジェクトカセット１５がニアフル状態でない場合は、ステップＳ８−２０へ移行する。リジェクトカセット１５がニアフル状態である場合は、非出金紙幣等の搬送先変更処理が必要と判定してステップＳ８−１３へ移行する。
【０２６１】
その後のステップＳ８−１３からＳ８−１６の作動は、上記実施例１のステップＳ１−１０からＳ１−１３の作動と同様であるので、その説明を省略する。
【０２６２】
Ｓ８−１７、リジェクトカセット１５がニアフル状態であるが、収納カセット１４に収納余裕が存在することを判定した主制御部４は、記憶部５の収納枚数カウントエリア５ｃの収納カセット１４別の収納枚数を読出し、全収納カセット１４の中で、収納枚数が最も少ない最少収納枚数の収納カセット１４（本実施例では、循環金種の千券に設定されている収納カセット１４ｃとする。）を仮リジェクトカセット１８ｃに設定し、仮リジェクトカセット１８ｃからの紙幣の繰出を停止すると共に、記憶部５の収納枚数カウントエリア５ｃに記憶されている当該収納カセット１４ｃの収納枚数を読出し、これを仮リジェクトカセット１８ｃの設定時の収納枚数として記憶部５に一時保存する。このため、以後の作動においては、仮リジェクトカセット１８ｃの設定が解除されるまで、千券の出金が停止されることになる。
【０２６３】
Ｓ８−１８、仮リジェクトカセット１８ｃを設定した主制御部４は、記憶部５の設定金種変更記録エリア５ｂの収納カセット１４ｃの記録エリアに当該収納カセット１４ｃの現在の設定金種を記録して、仮リジェクトカセット１８ｃが設定された旨を記録し、収納カセット１４ｃを他の収納カセット１４（本実施例では、収納カセット１４ａ、１４ｂ）に収納されない紙幣を収納する仮リジェクトカセット１８ｃとして機能させる。
【０２６４】
Ｓ８−１９、設定金種の設定を書替えた主制御部４は、リジェクトカセット１５がニアフル状態である旨および収納カセット１４ｃを仮リジェクトカセット１８ｃとして設定した旨を記した通知を図示しない店舗の管理端末へ送信して係員に通知し、ステップＳ８−１へ戻って操作表示部６の表示画面に、千券による出金が中止されている旨の文言を表示した運用形態を変更した取引選択画面を表示して待機する。
【０２６５】
なお、上記ステップＳ８−１８において、最少収納枚数の収納カセット１４が、同一金種である万券に設定されている収納カセット１４ａ、１４ｂのいずれか一方、例えば収納カセット１４ｂを仮リジェクトカセット１８ｂに設定した場合は、仮リジェクトカセット１８ｂからの繰出は停止されるが、収納カセット１４ａからの繰出は停止されないので、万券および千券の出金が可能になり、運用形態は変更されない。
【０２６６】
一方、通知を受けた係員は、顧客が当該現金自動預払機１を利用していないとき等に、ニアフル状態のリジェクトカセット１５を空のリジェクトカセット１５に交換する。
【０２６７】
このとき、仮リジェクトカセット１８ｃとして設定された収納カセット１４ｃに、設定後に収納された紙幣は抜取られていないものとする。
【０２６８】
Ｓ８−２０、リジェクトカセット１５がニアフル状態でないこと、つまりリジェクトカセット１５に収納余裕が存在することを判定した主制御部４は、通常運用による紙幣取扱取引を可能に設定する。
【０２６９】
Ｓ８−２１、通常運用による紙幣取扱取引を可能に設定した主制御部４は、上記ステップＳ１−１０と同様にして、仮リジェクトカセット１８ｃが設定されていないことを判定した場合、つまり通常通りの運用をしている場合は、ステップＳ８−１へ戻って操作表示部６の表示画面に、通常の取引選択画面を表示して待機する。仮リジェクトカセット１８ｃが設定されていたことを判定した場合は、ステップＳ８−２２へ移行する。
【０２７０】
Ｓ８−２２、仮リジェクトカセット１８ｃが設定されていたことを判定した主制御部４は、上記ステップＳ８−１７で一時保存した収納カセット１４ｃ（仮リジェクトカセット１８ｃ）の設定時の収納枚数を読出し、設定後収納紙幣の分別収納処理を実行するために、仮リジェクトカセット１８ｃの設定後収納紙幣を、一時保留部１３へ一旦集積すると共に、その過程で搬送異常紙幣と鑑別された紙幣を空のリジェクトカセット１５へ収納する。
【０２７１】
すなわち、主制御部４は、仮リジェクトカセット１８ｃ（収納カセット１４ｃ）に収納されている紙幣（非循環金種の紙幣、リジェクト紙幣（金種不明紙幣、搬送異常紙幣）、過剰紙幣、異金種紙幣、および仮リジェクトカセット１８ｃの設定後に収納された千券）を、その分離集積機構により順次に搬送路１７ｋへ繰出し、搬送路１７ｈ、１７ｇ、１７ｂを経由して鑑別部１２へ搬送し、鑑別部１２によって搬送した紙幣の金種等を鑑別し、鑑別された紙幣が搬送異常を除く紙幣の場合は、搬送路１７ｃ、１７ｄにより一時保留部１３へ搬送して集積し（図２４に示す太い実線参照）、鑑別された紙幣が搬送異常の場合は、その搬送異常紙幣を搬送路１７ｃ、１７ｎ、１７ｍにより空のリジェクトカセット１５へ搬送して収納し（図２４に示す太い破線参照）、記憶部５の収納枚数カウントエリア５ｃによってリジェクトカセット１５への収納回数を計数する。
【０２７２】
この場合に、主制御部４は、仮リジェクトカセット１８ｃから紙幣を繰出したときに、記憶部５の収納枚数カウントエリア５ｃによって仮リジェクトカセット１８ｃ（収納カセット１４ｃ）のカウント数から繰出した枚数を減算して仮リジェクトカセット１８ｃの収納枚数を計数し、そのカウント数が読出した収納枚数になったときに、紙幣の繰出を終了させてステップＳ８−２３へ移行する。
【０２７３】
Ｓ８−２３、仮リジェクトカセット１８ｃからの紙幣の繰出および一時保留部１３への集積等を終えた主制御部４は、上記実施例１のステップＳ１−１９と同様にして、設定金種変更記録エリア５ｂの収納カセット１４の書替えられた設定金種を予め設定された設定金種に書替える。
【０２７４】
Ｓ８−２４、収納カセット１４ｃを元の設定金種を再設定した主制御部４は、一時保留部１３に集積した紙幣（設定後収納紙幣の中で、搬送異常以外と鑑別された紙幣）を、その分離繰出機構により順次に搬送路１７ｅへ繰出し、搬送路１７ｃを経由して鑑別部１２へ搬送し、鑑別部１２によって搬送した紙幣の金種等を鑑別し、鑑別された紙幣が循環金種の紙幣（設定後収納紙幣の鑑別時に、金種不明紙幣と鑑別され一旦一時保留部１３に集積された紙幣が、本ステップの鑑別において正常に金種鑑別がなされた紙幣、仮リジェクトカセット１８ｃの設定後に収納された千券および過剰紙幣、異金種紙幣）の場合は、その循環金種の万券は上記実施例１のステップＳＡ１−８からＳＡ１−１１と同様にして、収納枚数が少ない収納カセット１４（例えば収納カセット１４ａ）を搬送先に決定し、当該収納カセット１４ａに収納余裕が存在する場合は、搬送路１７ｂ、１７ｇ、１７ｉにより収納カセット１４ａへ搬送して収納し、循環金種の千券は、搬送路１７ｂ、１７ｇ、１７ｈ、１７ｋにより収納カセット１４ｃへ搬送して収納し（図２５に示す太い実線参照）、鑑別部１２での鑑別結果が搬送異常を含む非出金紙幣の場合（非循環金種の紙幣、リジェクト紙幣（金種不明紙幣、搬送異常紙幣））は、搬送路１７ｂ、１７ｇ、１７ｈ、１７ｍにより空のリジェクトカセット１５へ搬送して収納する（図２５に示す太い破線参照）。
【０２７５】
この場合に主制御部４は、収納カセット１４に紙幣を収納したときは、記憶部５の収納枚数カウントエリア５ｃによって当該収納カセット１４の収納枚数に収納した枚数を加算して計数し、リジェクトカセット１５に非出金紙幣を収納したときは、記憶部５の収納枚数カウントエリア５ｃによってリジェクトカセット１５のカウント数に収納した回数を加算して計数する。
【０２７６】
そして、主制御部４は、一時保留部１３の図示しない残留検出センサが紙幣の残留を検出しなくなったときに、分別収納処理を終了させ、ステップＳ８−１へ戻って通常の取引選択画面を表示して待機する。
【０２７７】
このようにして、本実施例の非出金紙幣等の搬送先変更処理が実行される。
【０２７８】
以下に、図２７に示すフローチャートを用い、ＳＡ８で示すステップに従って、本実施例の現金自動預払機１による入金取引処理について説明する。
【０２７９】
ＳＡ８−１、上記ステップＳ８−５において、入金取引の選択を認識し、接続子Ａ８を介して移行した主制御部４は、上記実施例１のステップＳＡ１−１と同様にして、取引カード挿入画面を表示し、挿入された取引カードのカード情報を読取り、読取ったカード情報を記憶部５に一時保存する。
【０２８０】
その後のステップＳＡ８−２からＳＡ８−１３の作動は、上記実施例１のステップＳＡ１−２からＳＡ１−１３の作動と同様であるので、その説明を省略する。
【０２８１】
ＳＡ８−１４、搬送した入金紙幣が非出金紙幣（５千券、２千券と鑑別された非循環金種の入金紙幣、またはリジェクト紙幣（金種不明紙幣、搬送異常紙幣））であることを判定した、または循環金種の紙幣を過剰紙幣と判定した主制御部４は、上記ステップＳ１−１０と同様にして、仮リジェクトカセット１８ｃが設定されていないことを判定した場合、つまり通常通りの運用をしている場合はステップＳＡ８−１５へ移行する。仮リジェクトカセット１８ｃが設定されていることを判定した場合はステップＳＡ８−１６へ移行する。
【０２８２】
ＳＡ８−１５、通常通りの運用がされていることを判定した主制御部４は、非出金紙幣または過剰紙幣の搬送先を、リジェクトカセット１５に決定してステップＳＡ８−１９へ移行する。
【０２８３】
ＳＡ８−１６、仮リジェクトカセット１８が設定されていることを判定した主制御部４は、搬送した入金紙幣の鑑別結果が搬送異常であるか否かを判定し、鑑別結果が搬送異常の場合は、ステップＳＡ８−１８へ移行する。鑑別結果が搬送異常以外の場合、つまり搬送異常を除く非出金紙幣（非循環金種の入金紙幣、または金種不明紙幣）の場合はステップＳＡ８−１７へ移行する。
【０２８４】
ＳＡ８−１７、鑑別した入金紙幣の鑑別結果が搬送異常を除く非出金紙幣と判定した主制御部４は、搬送異常を除く非出金紙幣または過剰紙幣の搬送先を、仮リジェクトカセット１８ｃに決定してステップＳＡ８−１９へ移行する。
【０２８５】
ＳＡ８−１８、鑑別した入金紙幣の鑑別結果が搬送異常であることを判定した主制御部４は、搬送異常と鑑別された入金紙幣の搬送先を、ニアフル状態ではあるが、収納余裕が存在するリジェクトカセット１５に決定してステップＳＡ８−１９へ移行する。
【０２８６】
ＳＡ８−１９、鑑別された入金紙幣の搬送先を決定した主制御部４は、決定された搬送先へ当該紙幣を搬送して収納する。
【０２８７】
すなわち、主制御部４は、仮リジェクトカセット１８ｃが設定されていない場合は、上記実施例１のステップＳＡ１−１７と同様にして、鑑別された紙幣の金種に応じて決定された搬送先の各カセット１４、１５へ搬送路１７により入金紙幣を搬送して収納する。
【０２８８】
また、主制御部４は、仮リジェクトカセット１８が設定されていた場合は、図２９に示すように、万券と鑑別された入金紙幣は、搬送路１７ｂ、１７ｇ、１７ｉにより収納カセット１４ａへ搬送して収納し（図２９に示す太い実線参照）、千券と鑑別された入金紙幣は、搬送路１７ｂ、１７ｇ、１７ｈ、１７ｋにより仮リジェクトカセット１８ｃ（収納カセット１４ｃ）へ搬送して収納し、非出金紙幣（５千券、２千券またはリジェクト紙幣（金種不明紙幣））と鑑別された入金紙幣または過剰紙幣は、搬送路１７ｂ、１７ｇ、１７ｈ、１７ｋにより仮リジェクトカセット１８ｃへ搬送して収納し（図２９に示す太い破線参照）、搬送異常と鑑別された入金紙幣は、搬送路１７ｂ、１７ｇ、１７ｈ、１７ｍにより、ニアフル状態のリジェクトカセット１５へ搬送して収納する（図２９に示す太い一点差線参照）。
【０２８９】
この場合に主制御部４は、収納カセット１４に入金紙幣を収納したときは、記憶部５の収納枚数カウントエリア５ｃによって当該収納カセット１４の収納枚数に収納した枚数を加算して計数し、リジェクトカセット１５または仮リジェクトカセット１８ｃに入金紙幣を収納したときは、記憶部５の収納枚数カウントエリア５ｃによってリジェクトカセット１５または仮リジェクトカセット１８ｃのカウント数に収納した回数を加算して計数する。
【０２９０】
このように、仮リジェクトカセット１８ｃが設定されていたとしても、搬送異常紙幣をニアフル状態のリジェクトカセット１５へ収納するのは、仮リジェクトカセット１８ｃからの紙幣の再繰出時におけるジャム等の搬送障害発生の可能性を排除するためである。
【０２９１】
その後のステップＳＡ８−２０の作動は、上記実施例１のステップＳＡ１−１８の作動と同様であるので、その説明を省略する。
【０２９２】
このようにして、本実施例の現金自動預払機１による入金取引処理が実行される。
【０２９３】
以下に、図２８に示すフローチャートを用い、ＳＢ８で示すステップに従って、本実施例の現金自動預払機１による出金取引処理について説明する。
【０２９４】
ＳＢ８−１、上記ステップＳ８−６において、出金取引の選択を認識し、接続子Ｂ８を介して移行した主制御部４は、上記実施例１のステップＳＡ１−１と同様にして、取引カード挿入画面を表示し、挿入された取引カードのカード情報を読取り、読取ったカード情報を記憶部５に一時保存する。
【０２９５】
その後のステップＳＢ８−２からＳＢ８−１０の作動は、上記実施例１のステップＳＢ１−２からＳＢ１−１０の作動と同様であるので、その説明を省略する。
【０２９６】
ＳＢ８−１１、仮リジェクトカセット１８ｃが設定されていることを判定した主制御部４は、出金処理時の紙幣の鑑別結果が搬送異常であるか否かを判定し、鑑別結果が搬送異常の場合は、ステップＳＢ８−１３へ移行する。鑑別結果が搬送異常以外の場合、つまり搬送異常を除く非出金紙幣（装填時のミス等により混入した２千券、５千券、リジェクト紙幣（金種不明紙幣）または異金種紙幣の場合はステップＳＢ８−１２へ移行する。
【０２９７】
ＳＢ８−１２、鑑別された紙幣が搬送異常を除く非出金紙幣または異金種紙幣であることを判定した主制御部４は、これらの紙幣を、搬送路１７ｃ、１７ｄを経由して一時保留部１３へ搬送して集積し（図３０に示す太い破線参照）、ステップＳＢ８−１４へ移行する。
【０２９８】
ＳＢ８−１３、鑑別された紙幣が搬送異常であることを判定した主制御部４は、その搬送異常紙幣を、搬送路１７ｃ、１７ｎ、１７ｍを経由して、ニアフル状態のリジェクトカセット１５へ搬送して収納し（図３０に示す太い一点差線参照）、ステップＳＢ８−１４へ移行する。
【０２９９】
この場合に主制御部４は、ニアフル状態のリジェクトカセット１５に紙幣を収納したときに、記憶部５の収納枚数カウントエリア５ｃによってリジェクトカセット１５のカウント数に収納した回数を加算して計数する。
【０３００】
このように、仮リジェクトカセット１８ｃが設定されていたとしても、搬送異常紙幣をニアフル状態のリジェクトカセット１５へ収納するのは、一時保留部１３からの紙幣の再繰出時におけるジャム等の搬送障害発生の可能性を排除するためである。
【０３０１】
その後のステップＳＢ８−１４からＳＢ８−１６の作動は、上記実施例４のステップＳＢ４−１２からＳＢ４−１４の作動と同様であるので、その説明を省略する。
【０３０２】
ＳＢ８−１７、上記ステップＳＢ８−１２において、仮リジェクトカセット１８ｃが設定されていたために一時保留部１３に集積された紙幣が存在していることを認識した主制御部４は、一時保留部１３の出金処理時の非出金紙幣等の分別収納処理を実行する。
【０３０３】
すなわち、主制御部４は、一時保留部１３に集積した紙幣（装填時のミス等により混入した非循環金種の紙幣、リジェクト紙幣（金種不明紙幣）、異金種紙幣）を、その分離繰出機構により、一時保留部１３の図示しない残留検出センサが紙幣の残留を検出しなくなるまで順次に搬送路１７ｅへ繰出し、搬送路１７ｃを経由して鑑別部１２へ搬送し、鑑別部１２によって搬送した紙幣の金種等を鑑別し、鑑別された紙幣が循環金種の紙幣（ステップＳＢ８−６における紙幣の鑑別時に、金種不明紙幣と鑑別され一旦一時保留部１３に集積された紙幣が、本ステップの鑑別において正常に金種鑑別がなされた紙幣、異金種紙幣。本実施例では万券とする。）の場合は、その万券は上記実施例１のステップＳＡ１−８からＳＡ１−１１と同様にして、収納枚数が少ない収納カセット１４（例えば収納カセット１４ａ）を搬送先に決定し、当該収納カセット１４ａに収納余裕が存在する場合は、搬送路１７ｂ、１７ｇ、１７ｉにより収納カセット１４ａへ搬送して収納し、鑑別部１２での再鑑別結果が、搬送異常を除く非出金紙幣（混入した非循環金種の紙幣、リジェクト紙幣（金種不明紙幣））および循環金種の千券と鑑別された紙幣の場合は、搬送路１７ｂ、１７ｇ、１７ｈ、１７ｋにより仮リジェクトカセット１８ｃへ搬送して収納し、鑑別部１２での再鑑別結果が搬送異常である場合は、搬送路１７ｂ、１７ｇ、１７ｈ、１７ｍによりニアフル状態のリジェクトカセット１５へ搬送して収納する。
【０３０４】
この場合に主制御部４は、収納カセット１４に紙幣を収納したときは、記憶部５の収納枚数カウントエリア５ｃによって当該収納カセット１４の収納枚数に収納した枚数を加算して計数し、仮リジェクトカセット１８ｃまたはニアフル状態のリジェクトカセット１５に紙幣を収納したときは、記憶部５の収納枚数カウントエリア５ｃによって仮リジェクトカセット１８ｃまたはリジェクトカセット１５のカウント数に収納した回数を加算して計数する。
【０３０５】
このように、仮リジェクトカセット１８ｃが設定されていたとしても、搬送異常紙幣をニアフル状態のリジェクトカセット１５へ収納するのは、仮リジェクトカセット１８ｃからの紙幣の再繰出時におけるジャム等の搬送障害発生の可能性を排除するためである。
【０３０６】
そして、一時保留部１３に集積した紙幣の収納カセット１４、仮リジェクトカセット１８ｃまたはニアフル状態のリジェクトカセット１５への収納を終えた主制御部４は、出金取引の取引処理の終了を判定し、接続子Ｅを介して図２６のステップＳ８−８へ移行する。
【０３０７】
このようにして、本実施例の現金自動預払機１による出金取引処理が実行される。
【０３０８】
上記のように、本実施例の現金自動預払機１の主制御部４による紙幣処理においては、リジェクトカセット１５がニアフル状態になったときに、最少収納枚数の収納カセット１４ｃを仮リジェクトカセット１８ｃに設定し、入金処理における収納処理、出金処理およびその分別収納処理において、搬送異常紙幣と鑑別された紙幣をニアフル状態のリジェクトカセット１５へ搬送して収納し、他の非出金紙幣等を仮リジェクトカセット１８ｃへ搬送して収納するので、入金処理における収納処理や出金処理において、搬送異常と鑑別された搬送異常紙幣をニアフル状態のリジェクトカセット１５へ収納することが可能になり、非出金紙幣等の分別収納処理や設定後収納紙幣の分別収納処理において、一旦搬送異常紙幣と鑑別された紙幣を再分離することがなくなり、搬送障害の発生の可能性を低減することができる。
【０３０９】
また、リジェクトカセット１５がニアフル状態になったときに、仮リジェクトカセット１８を設定して取引を自動的に継続したことを係員に通知するので、現金自動預払機１の利用状況および係員の空き状況を考慮して、現金自動預払機１の顧客に迷惑をかけない状況でのリジェクトカセット１５等の交換が可能になる。
【０３１０】
以上説明したように、本実施例では、入出金部に投入され正常紙幣と鑑別された紙幣を集積する一時保留部と、循環金種を設定金種として当該紙幣を収納する複数の収納カセットと、収納カセットに収納されない紙幣を収納するリジェクトカセットとを有する紙幣入出金部を備えた現金自動取引装置において、リジェクトカセットの収納状態を確認したときに、リジェクトカセットの収納状態がフル状態である場合は、各収納カセットの中で最少収納枚数の収納カセットを仮リジェクトカセットに設定し、入金処理における収納処理時に、仮リジェクトカセットが設定されている場合は、一時保留部に集積された正常紙幣の中で、搬送異常を除く非出金紙幣と鑑別された紙幣を仮リジェクトカセットへ、搬送異常と鑑別された紙幣をニアフル状態のリジェクトカセットへ収納し、出金処理時に、仮リジェクトカセットが設定されている場合は、搬送異常を除く非出金紙幣と鑑別された紙幣を一時保留部へ集積し、搬送異常と鑑別された紙幣をニアフル状態のリジェクトカセットへ収納し、出金処理の終了時に、一時保留部に集積した紙幣の中で、搬送異常と鑑別された紙幣をニアフル状態のリジェクトカセットへ、搬送異常を除く非出金紙幣と鑑別された紙幣を仮リジェクトカセットへ収納するようにしたことによって、上記実施例１と同様の効果に加えて、入金処理における収納処理や出金処理において、搬送異常と鑑別された搬送異常紙幣をニアフル状態のリジェクトカセットへ収納することが可能になり、非出金紙幣等の分別収納処理や設定後収納紙幣の分別収納処理において、一旦搬送異常紙幣と鑑別された紙幣を再分離することがなくなり、搬送障害の発生の可能性を低減することができる。
【０３１１】
なお、上記各実施例においては、初期画面は取引選択画面であるとして説明したが、初期画面は前記に限らず、省電力画面等であってもよい。
【０３１２】
また、上記各実施例においては、現金自動預払機の主制御部が紙幣入出金部を制御して上記した各処理を実行するとして説明したが、紙幣入出金部に制御部および記憶部を設け、主制御部からの各処理の処理指令を制御部が受信し、制御部によって紙幣入出金部の各部を制御しながら、紙幣処理における各処理を実行するようにしてもよい。
【０３１３】
この場合に、現金自動預払機の記憶部に設けた収納枚数カウントエリア、取込枚数カウントエリアは紙幣入出金部の記憶部に設けるようにし、仮リジェクトカセットを設定したときは主制御部から非出金紙幣等の搬送先を制御部へ指示し、出金処理時の移動処理や移し替え処理、分別収納処理は、主制御部からの搬送先を指示した指令により制御部が上記した各処理を実行するようにするとよい。
【０３１４】
更に、上記各実施例においては、収納カセットは３つであるとして説明したが、２つまたは４つ以上であっても同様である。
【０３１５】
更に、上記各実施例においては、媒体として紙幣を取扱う場合を例に説明したが、媒体としての硬貨を取扱う硬貨入出金部に適用することも可能である。
【符号の説明】
【０３１６】
１ 現金自動預払機
２ ホストコンピュータ
３ 通信回線
４ 主制御部
５ 記憶部
５ａ 設定金種記憶エリア
５ｂ 設定金種変更記録エリア
５ｃ 収納枚数カウントエリア
５ｄ 取込紙幣カウントエリア
６ 操作表示部
７ カード取扱部
８ 通帳取扱部
９ 硬貨入出金部
１０ 紙幣入出金部
１１ 入出金部
１２ 鑑別部
１３ 一時保留部
１４、１４ａ〜１４ｃ 収納カセット
１５ リジェクトカセット
１６、１６ａ〜１６ｄ 収納状態検出センサ
１７、１７ａ〜１７ｎ 搬送路
１８ｂ、１８ｃ 仮リジェクトカセット（収納カセット１４ｂ、１４ｃ）
【図１】
0005575300.tif 000002
【図２】
0005575300.tif 000003
【図３】
0005575300.tif 000004
【図４】
0005575300.tif 000005
【図５】
0005575300.tif 000006
【図６】
0005575300.tif 000007
【図７】
0005575300.tif 000008
【図８】
0005575300.tif 000009
【図９】
0005575300.tif 000010
【図１０】
0005575300.tif 000011
【図１１】
0005575300.tif 000012
【図１２】
0005575300.tif 000013
【図１３】
0005575300.tif 000014
【図１４】
0005575300.tif 000015
【図１５】
0005575300.tif 000016
【図１６】
0005575300.tif 000017
【図１７】
0005575300.tif 000018
【図１８】
0005575300.tif 000019
【図１９】
0005575300.tif 000020
【図２０】
0005575300.tif 000021
【図２１】
0005575300.tif 000022
【図２２】
0005575300.tif 000023
【図２３】
0005575300.tif 000024
【図２４】
0005575300.tif 000025
【図２５】
0005575300.tif 000026
【図２６】
0005575300.tif 000027
【図２７】
0005575300.tif 000028
【図２８】
0005575300.tif 000029
【図２９】
0005575300.tif 000030
【図３０】
0005575300.tif 000031